(57)【特許請求の範囲】
【請求項１】
遊技球が打ち込まれる遊技領域が前面側に形成された遊技部品と、
前記遊技部品の裏面に配設されて前記遊技部品の裏面側に案内された遊技球を排出する球排出部品と
を備えた遊技機において、
前記遊技部品は、
前記遊技領域の所定箇所に前後方向に貫通形成された貫通孔と、
前記遊技領域の前記貫通孔箇所に設けられた、遊技球が入球可能な入賞部品とを備え、
前記球排出部品は、
前記入賞部品に入賞した遊技球を案内する通路部と、
当該通路部の下流側に形成された、前記通路部で案内された遊技球を排出する排出口とを備え、
前記排出口は、前記遊技部品の裏面に対して間隔を空けて位置しており、
前記球排出部品は、その下部側で且つ前記排出口と前記遊技部品との間に、下側が開放された空間部を備え、
前記通路部は、その通路途中箇所に、前記入賞部品に入賞した遊技球を検出する入賞検出手段を備え、
さらに、前記通路部は、前記入賞検出手段よりも下流側の所定範囲箇所が、当該通路部での前記入賞検出手段が存する箇所の第１通路幅よりも大きい第２通路幅である拡大通路部を有し、
前記排出口は、前記拡大通路部の下流側に形成されており、少なくとも前記第１通路幅よりも大きい開口幅であり、
前記通路部での前記入賞検出手段が存する箇所の前記遊技機の幅方向外側にも前記拡大通路部が延出する
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機としては、例えば、遊技球が打ち込まれる遊技領域を前面側に有する遊技盤と、この遊技盤の略中央箇所に形成された開口部に表示画面が位置するように当該遊技盤の背後に設けられた、識別情報を変動表示する液晶表示装置とを備え、遊技盤の開口部を通じて液晶表示装置の変動表示が視認可能なものがある。遊技盤の遊技領域の前面下部側の所定箇所には、一般入賞口、始動入賞口及び大入賞口がそれぞれ配設されている。また、遊技盤の裏面下部箇所には、前記の一般入賞口、始動入賞口及び大入賞口に入球した遊技球を複数個の球通路部を経由して収集し外部へ導出する入賞球集合通路部品が取り付けられている。この入賞球集合通路部品は、その球通路部に、遊技球の入賞を検出する入賞検出センサを備えている。パチンコ機では、入賞検出センサで入賞が検出されると、遊技者に対して所定数の賞球払出がなされる（例えば、特許文献１参照）。
【先行技術文献】
【特許文献】
【０００３】
【特許文献１】特開２００３−１８１０７０号公報（第４−５頁，第３−６図）
【発明の開示】
【発明が解決しようとする課題】
【０００４】
しかしながら、このような構成を有する従来例の場合には、次のような問題がある。
すなわち、従来のパチンコ機では、例えばその前面側の隙間等から薄板状の不正具を不正に差し入れ、その不正具の先端を遊技盤に沿わせるように手探りで当該遊技盤の裏面側まで進ませて、遊技盤裏面下部の入賞球集合通路部品の排出口に進入させていき、入賞球集合通路部品内で遊技球を意図的に詰まらせて不正に入賞カウント（入賞検出）を上げる不正行為がなされるという問題がある。
【０００５】
本発明は、このような事情等に鑑みてなされたものであって、入賞球集合通路部品の排出口への不正具の進入を低減できる遊技機を提供することを目的とする。
【課題を解決するための手段】
【０００６】
この発明は、このような目的を達成するために、次のような構成をとる。
すなわち、請求項１に記載の発明は、
遊技球が打ち込まれる遊技領域が前面側に形成された遊技部品と、
前記遊技部品の裏面に配設されて前記遊技部品の裏面側に案内された遊技球を排出する球排出部品と
を備えた遊技機において、
前記遊技部品は、
前記遊技領域の所定箇所に前後方向に貫通形成された貫通孔と、
前記遊技領域の前記貫通孔箇所に設けられた、遊技球が入球可能な入賞部品とを備え、
前記球排出部品は、
前記入賞部品に入賞した遊技球を案内する通路部と、
当該通路部の下流側に形成された、前記通路部で案内された遊技球を排出する排出口とを備え、
前記排出口は、前記遊技部品の裏面に対して間隔を空けて位置しており、
前記球排出部品は、その下部側で且つ前記排出口と前記遊技部品との間に、下側が開放された空間部を備え、
前記通路部は、その通路途中箇所に、前記入賞部品に入賞した遊技球を検出する入賞検出手段を備え、
さらに、前記通路部は、前記入賞検出手段よりも下流側の所定範囲箇所が、当該通路部での前記入賞検出手段が存する箇所の第１通路幅よりも大きい第２通路幅である拡大通路部を有し、
前記排出口は、前記拡大通路部の下流側に形成されており、少なくとも前記第１通路幅よりも大きい開口幅であり、
前記通路部での前記入賞検出手段が存する箇所の前記遊技機の幅方向外側にも前記拡大通路部が延出する
ことを特徴とするものである。
【０００７】
【０００８】
【発明の効果】
【０００９】
この発明に係る遊技機によれば、球排出部品（入賞球集合通路部品）の排出口への不正具の進入を低減できる遊技機を提供することができる。
【図面の簡単な説明】
【００１０】
【図１】本発明の実施例１のパチンコ機の概略正面図である。
【図２】遊技盤の正面図である。
【図３】パチンコ機の裏面図である。
【図４】パチンコ機の電気的構成を示すブロック図である。
【図５】第３図柄表示装置の表示内容を示す説明図である。
【図６】実施例１の遊技盤の背面図である。
【図７】実施例１の遊技盤を後方右上から見た後方斜視図である。
【図８】実施例１の遊技盤の背後側の主制御装置を左開き状態にした斜視図である。
【図９】実施例１の遊技盤の背後側の取付台を右開き状態にした斜視図である。
【図１０】遊技盤を前方右上から見た分解斜視図である。
【図１１】遊技盤を後方右上から見た分解斜視図である。
【図１２】遊技盤を後方左下から見た分解斜視図である。
【図１３】遊技盤を後方右下から見た分解斜視図である。
【図１４】主制御装置及び取付台を取り外した状態の遊技盤の背面図である。
【図１５】図１４の遊技盤を後方右下から見た斜視図である。
【図１６】図１４の遊技盤を後方左下から見た斜視図である。
【図１７】集合通路盤を前方右上から見た分解斜視図である。
【図１８】（ａ）〜（ｃ）は集合通路盤の本体部品の正面図、背面図及び底面図である。
【図１９】（ａ）〜（ｃ）は集合通路盤の下方向通路形成部品の正面図、背面図及び底面図である。
【図２０】集合通路を破線で示す集合通路盤の背面図である。
【図２１】図１４に示した遊技盤のＡ−Ａ線断面斜視図である。
【図２２】図１４に示した遊技盤のＡ−Ａ線断面図である。
【図２３】図１４に示した遊技盤のＢ−Ｂ線断面斜視図である。
【図２４】（ａ）は遊技盤の裏面左下角部を示す図であり、（ｂ）は遊技盤のＣ−Ｃ線断面図である。
【図２５】図６に示した遊技盤のＤ−Ｄ線断面図である。
【発明を実施するための形態】
【００１１】
以下、パチンコ遊技機（以下、単に「パチンコ機」という）の各種の実施の形態を、図面に基づいて詳細に説明する。
【実施例１】
【００１２】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００１３】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００１４】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００１５】
内枠１２は、大別すると、その外形を形成する主要部材としての樹脂ベース（図示省略）と、この樹脂ベース（図示省略）に取り付けられる遊技盤３０（図２参照）とを備えている。また、内枠１２は、図１に示すように、樹脂ベース（図示省略）の前面側で片開き自在な前面枠セット１４を備えている。
【００１６】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００１７】
前面枠セット１４は、正面視左側で上下方向の開閉軸Ｊ１を軸心にして当該内枠１２に対して開閉自在に取り付けられている。言い換えれば、前面枠セット１４は、樹脂ベース（図示省略）に対して開閉自在となっている。
【００１８】
遊技盤３０（図２参照）は、その遊技領域３０ａを樹脂ベース（図示省略）の開口部に位置させるようにして当該樹脂ベースの裏面側に着脱自在に取り付けられる。
【００１９】
ここで、もう少し詳細に前面枠セット１４について説明する。
【００２０】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００２１】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３と、に大別される。これらの下皿ユニット１３と上皿ユニット２１とガラス枠部２３とは、図示省略のベース板体の前面側各箇所にそれぞれ取り付けられて前面枠セット１４が構成されている。
【００２２】
下皿ユニット１３は、図１に示すように、前面枠セット１４の最下部箇所に位置するように、ネジ等の締結具によりベース板体（図示省略）の正面視で最下部箇所に固定されている。この下皿ユニット１３は、その前面側に、下皿１５と球抜きレバー１７と遊技球発射ハンドル１８とを備えている。
【００２３】
球受皿としての下皿１５は、下皿ユニット１３のほぼ中央部に設けられており、排出口１６より排出された遊技球が下皿１５内に貯留可能である。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。
【００２４】
遊技球発射ハンドル１８は、下皿１５よりも右方で手前側に突出して配設されている。遊技者による遊技球発射ハンドル１８の操作に応じて、遊技球発射装置３８によって遊技球が遊技盤３０（図２参照）の方へ打ち込まれる。遊技球発射装置３８は、例えば、遊技球発射ハンドル１８と発射装置２２９（図４参照）などで構成されている。音出力部２４は、前面枠セット１４の正面視で上部の左右２箇所で、その前面枠セット１４の内部あるいは背面箇所に設けられたスピーカからの音を出力するための出力口である。
【００２５】
上皿ユニット２１は、図１に示すように、前面枠セット１４の下部箇所（前述の下皿１５の上方位置）に位置するように、ネジ等の締結具によりベース板体（図示省略）の正面視で下部箇所に固定されており、遊技球の受皿としての上皿１９を備えている。ここで、上皿１９は、遊技球を一旦貯留し、一列に整列させながら遊技球発射装置３８の方へ導出するための球受皿である。
【００２６】
ガラス枠部２３は、図１に示すように、上皿ユニット２１の上側に形成された窓部１０１と、この窓部１０１の周囲に設けられた各種の電飾部とを備えている。
【００２７】
つまり、前面枠セット１４には、図１に示すように、上皿ユニット２１の上側に位置するガラス枠部２３の中央箇所に、遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うように、図示省略のガラスユニットが前面枠セット１４の裏面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００２８】
さらに、ガラス枠部２３は、図１に示すように、窓部１０１の周囲に各種の電飾部（第１電飾部３００、第２電飾部３０２及び第３電飾部３０４）を備えている。つまり、前面枠セット１４は、図１に示すように、その前面視した状態で窓部１０１の周囲で左箇所に、ＬＥＤ等を内蔵した第１電飾部３００（左側電飾部）を、窓部１０１の周囲で右箇所に、ＬＥＤ等を内蔵した第２電飾部３０２（右側電飾部）を、窓部１０１の周囲で上箇所に、ＬＥＤ等を内蔵した第３電飾部３０４（上側電飾部）を備えている。これらの電飾部は、大当たり時や所定のリーチ時等における遊技状態の変化に応じて点灯、点滅のように発光態様が変更制御され遊技中の演出効果を高める役割を果たすものである。
【００２９】
本パチンコ機１０では、第１電飾部３００、第２電飾部３０２及び第３電飾部３０４は、大当たりランプとして機能し、大当たり時に点灯や点滅を行うことにより、大当たり中であることを報知する。その他、本パチンコ機１０の第１電飾部３００及び第２電飾部３０２には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００３０】
また、窓部１０１の下方には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００３１】
遊技盤３０は、図２に示すように、正面視で四角形状の木製（例えば、合板）でその左側の両角部が取れたような形状の遊技板３０ｂを備えており、その周縁部（後述するレール５１，５２の外側部分）が内枠１２の樹脂ベース（図示省略）の裏側に当接した状態で取着されており、この遊技盤３０の前面側の略中央部分たる遊技領域３０ａが樹脂ベースの略楕円形状の図１に示した窓部１０１（ガラス板１３７）を通じて前面枠セット１４の前方外側から視認可能な状態である。
【００３２】
次に、図２を用いて遊技盤３０の構成を説明する。遊技盤３０は、一般入賞口３１、可変入賞装置３２、始動入賞装置３３（例えば作動チャッカ）、第３の始動口３４（例えばスルーゲート）及び可変表示装置ユニット３５を備えている。これらの一般入賞口３１、可変入賞装置３２、始動入賞装置３３、第３の始動口３４及び可変表示装置ユニット３５は、遊技盤３０における、ルータ加工によって形成された各貫通穴にそれぞれに配設され、遊技盤３０前面側から木ネジ等により取り付けられている。一般入賞口３１、可変入賞装置３２、始動入賞装置３３に遊技球が入球し、当該入球が後述する検出スイッチ（後述の図９に示す入賞口スイッチ２２１、後述の図９に示すホルダーに装着される破線で示すカウントスイッチ２２３、後述の図９に示す作動口スイッチ２２４）で検出され、この検出スイッチの出力に基づいて、上皿１９（または下皿１５）へ所定数の賞品球が払い出される。
【００３３】
また、始動入賞装置３３は、図２に示すように、上から順に、第１の始動口３３ａ（例えば作動チャッカ）と第２の始動口３３ｂ（例えば作動チャッカ）とが上下に配設された単一の入賞装置で構成されている。そして、上部側の第１の始動口３３ａには第１の始動口３３ａ用の後述の図１１に示す作動口スイッチ２２４（通過検出スイッチ）が設けられ、この第１の始動口３３ａへの入球をその第１の始動口３３ａ用の図示省略の作動口スイッチにより検出される。また、下部側の第２の始動口３３ｂには第２の始動口３３ｂ用の図示省略の作動口スイッチ２２４（通過検出スイッチ）が設けられ、この第２の始動口３３ｂへの入球をその第２の始動口３３ｂ用の作動口スイッチ２２４（図示省略）により検出される。すなわち、上部側の第１の始動口３３ａへの遊技球の入球または下部側の第２の始動口３３ｂへの遊技球の入球のどちらの場合にも、それが始動入賞であることに変わりは無く、それらの入球を個別に検出できる。
【００３４】
その他に、図２に示すように、遊技盤３０にはアウト口３６が設けられており、各種入賞装置等に入球しなかった遊技球はこのアウト口３６を通って図示しない球排出路の方へと案内される。遊技盤３０には、遊技球の落下方向を適宜分散、調整等するために多数の釘が植設されているとともに、風車３７等の各種部材（役物）が配設されている。
【００３５】
可変表示装置ユニット３５は、第１の始動口３３ａ，第２の始動口３３ｂへの入賞をトリガとして、識別情報としての第１図柄（例えば特別図柄）を変動表示する第１図柄表示装置４０と、第３の始動口３４の通過をトリガとして、第２図柄（例えば普通図柄）を変動表示する第２図柄表示装置４１と、第１の始動口３３ａ，第２の始動口３３ｂへの入賞をトリガとして、第３図柄（例えば装飾図柄）を変動表示する第３図柄表示装置４２とを備えている。
【００３６】
第１図柄表示装置４０は、例えば、第１の始動口３３ａへの入球に基づいて変動発光等する複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃと、第２の始動口３３ｂへの入球に基づいて変動発光等する複数個（本実施例では２個）の２色発光タイプのＬＥＤ（発光ダイオード）４０ｄ，４０ｅと、このＬＥＤ４０ｄ，４０ｅでの変動表示の保留数を示す保留ランプ４０ｆとを備えている。
【００３７】
第１の始動口３３ａへの入球に基づいて変動発光等するＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００３８】
上記と同様に、第２の始動口３３ｂへの入球に基づいて変動発光等するＬＥＤ４０ｄ，４０ｅは、例えば、赤色と青色に発光可能なものである。第１図柄表示装置４０は、各ＬＥＤ４０ｄ，４０ｅの発光色を交互に変更させることで、第１図柄（本実施例では各ＬＥＤ４０ｄ，４０ｅの発光色態様）の変動表示状態を発生させ、例えば、両方のＬＥＤ４０ｄ，４０ｅが赤色発光状態で停止すると確変大当り（特定当り）を示し、両方のＬＥＤ４０ｄ，４０ｅが青色発光状態で停止すると通常大当り（非特定当り）を示し、両方のＬＥＤ４０ｄ，４０ｅが互いに異なる色の発光状態で停止すると外れを示す。
【００３９】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が識別情報変動表示手段に相当する。
【００４０】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第２の始動口３３ｂが所定時間だけ作動状態となる（開放される）よう構成されている。遊技球が第２の始動口３４を通過した回数は最大４回まで保留され、その保留回数が保留ランプ４１ｃにて点灯表示される。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が普通識別情報変動表示手段に相当する。
【００４１】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示される。なお本実施の形態では、第３図柄表示装置４２（液晶表示装置）は、例えば、１１インチサイズの大型の液晶ディスプレイを備える。可変表示装置ユニット３５には、正面視した状態で第３図柄表示装置４２の表示画面をほぼ囲むようにしてこの第３図柄表示装置４２の前方側にセンターフレーム４７が配設されている。本実施形態では第３図柄表示装置４２としてＬＣＤを採用するが他の種類の画像表示装置（例えば、ＰＤＰ：プラズマ・ディスプレイ・パネルや、ＥＬ：エレクトロ・ルミネッセンス・ディスプレイや、有機ＥＬなど）でもよい。なお、上述した第３図柄表示装置４２が装飾識別情報（図柄）変動表示手段に相当し、上述した表示制御装置４５が表示制御手段に相当する。
【００４２】
図２に示すように、可変入賞装置３２は、通常は遊技球が入賞できない又は入賞し難い閉状態になっており、大当りの際に遊技球が入賞しやすい開状態と通常の閉状態とに繰り返し作動されるものである。このように、大当りの際に可変入賞装置３２が開状態と通常の閉状態とに繰り返し作動される状態は、特定遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。つまり、本実施例のパチンコ機１０は、遊技球の投入数（遊技球発射装置３８による遊技球の遊技領域３０ａへの発射数）の方が、遊技球の賞球払出数（一般入賞口３１、可変入賞装置３２、始動入賞装置３３、第３の始動口３４などへの遊技球の入球に基づく賞球払出数）よりも多い通常遊技状態（遊技球消費状態）と、遊技球の賞球払出数の方が遊技球の投入数よりも多い特定遊技状態（例えば、大当り状態）とに状態変移可能なものである。
【００４３】
より詳しくは、第１の始動口３３ａに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特定遊技状態が発生する。例えば、両方のＬＥＤ４０ａ，４０ｂが赤色発光状態で停止するという発光態様の場合には、確変大当り（特定当り）の特定遊技状態に当選したことを示し、両方のＬＥＤ４０ａ，４０ｂが青色発光状態で停止するという発光態様の場合には、通常大当り（非特定当り）の特定遊技状態に当選したことを示し、両方のＬＥＤ４０ａ，４０ｂが互いに異なる色の発光状態で停止するという発光態様の場合には外れ（特定遊技状態に落選したこと）を示す。
【００４４】
上記と同様に、第２の始動口３３ｂに対し遊技球が入賞すると第１図柄表示装置４０の２個のＬＥＤ４０ｄ，４０ｅが変動表示され、その変動停止後のＬＥＤ４０ｄ，４０ｅの表示が予め設定した発光態様の組合せとなった場合に特定遊技状態が発生する。例えば、両方のＬＥＤ４０ｄ，４０ｅが赤色発光状態で停止するという発光態様の場合には、確変大当り（特定当り）の特定遊技状態に当選したことを示し、両方のＬＥＤ４０ｄ，４０ｅが青色発光状態で停止するという発光態様の場合には、通常大当り（非特定当り）の特定遊技状態に当選したことを示し、両方のＬＥＤ４０ｄ，４０ｅが互いに異なる色の発光状態で停止するという発光態様の場合には外れ（特定遊技状態に落選したこと）を示す。
【００４５】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。また、遊技球が第１の始動口３３ａを通過した回数は最大４回まで保留され、その保留回数が保留ランプ４０ｃにて表示される。また、遊技球が第２の始動口３３ｂを通過した回数も最大４回まで保留され、その保留回数が保留ランプ４０ｆにて表示される。なお、保留ランプ４０ｃ，４０ｆは、第３図柄表示装置４２の表示画面の一部で保留表示等される構成等であっても良い。
【００４６】
また、遊技盤３０には、図２に示すように、遊技球発射装置３８（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に遊技盤３０に取り付けられている。内レール５１は上方の約１／４ほどを除いて略縦楕円環状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００４７】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴム５４（図２に二点鎖線で示す部材）が位置している。従って、所定以上の勢いで発射された遊技球は、返しゴム５４に当たって跳ね返されるようになっている。外レール５２は、長尺状をなすステンレス製の金属帯としているので、遊技球の飛翔をより滑らかなものとする、つまり遊技球の摩擦抵抗を少なくすることができる。なお、図２に破線で示すように、外レール５２の先端部から内レール５１の右側先端部までは、内枠１２に形成された壁部５５（図２に破線で示す）が位置することにより、遊技領域３０ａが仕切られている。
【００４８】
なお、遊技盤３０の右下隅部は、証紙（例えば製造番号が記載されている）等のシール（図２のＳ１）やプレートを貼着するためのスペースとなっている。遊技盤３０の右下隅部に、証紙等のシール（図２のＳ１）を貼着することで、遊技盤３０と証紙との一義性を持たせることができる。
【００４９】
次に、遊技盤３０の遊技領域３０ａについて説明する。遊技領域３０ａは、図２に示すように、内レール５１と外レール５２との内周部（内外レール）により略縦長円形状に区画形成されており、特に本実施の形態では、遊技盤３０の盤面上に区画される当該遊技領域３０ａが大きく構成されている。
【００５０】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００５１】
なお、詳しい図面の開示は省略するが、遊技球発射装置３８には、前面枠セット１４の図示省略の球出口（上皿１９の最下流部より通じる球出口）から遊技球が１つずつ供給される。
【００５２】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台（主制御装置２６１の取付台２３０のみ図示し、それ以外の取付台は図示を省略する）に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを、遊技盤３０に取り付けられる別々の取付台（主制御装置２６１の取付台２３０のみ図示し、それ以外の取付台は図示を省略する）に搭載してそれぞれユニット化すると共に、後述する図４に示した払出制御装置３１１、発射制御装置３１２及び電源装置３１３を別の取付台（図示省略）に搭載してユニット化している。ここでは便宜上、前者のユニットを「第１制御基板ユニット２０１」と称し、後者のユニットを「第２制御基板ユニット２０２」と称することとする。
【００５３】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００５４】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成としている。これは、各ユニット２０１〜２０３やその他構成が前後に重ねて配置されても、隠れた構成等を容易に確認することを可能とするための工夫でもある。
【００５５】
また、遊技盤３０の裏面には、各種入賞口などの遊技球の通過を検出するための入賞感知機構などが設けられている。具体的には、遊技盤３０表側の一般入賞口３１に対応する位置には入賞口スイッチ２２１が設けられ、可変入賞装置３２には図９に破線で示すカウントスイッチ２２３が設けられている。カウントスイッチ２２３は入賞球をカウントするスイッチである。また、第１の始動口３３ａ，第２の始動口３３ｂに対応する位置には第１の始動口３３ａ用の作動口スイッチ２２４と第２の始動口３３ｂ用の作動口スイッチ２２４（図示省略）とがそれぞれ設けられ、第１の始動口３３ａ，第２の始動口３３ｂへの遊技球の入球を当該作動口スイッチ２２４で検出される。第３の始動口３４に対応する位置にはゲートスイッチが設けられ、第３の始動口３４への遊技球の通過を当該ゲートスイッチで検出される。
【００５６】
一般入賞口３１の入賞口スイッチ２２１及び第３の始動口３４のゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、可変入賞装置３２のカウントスイッチ２２３は後述する大入賞口中継端子基板９１に接続され、さらにこの大入賞口中継端子基板９１がやはり主制御基板２６１ａに接続されている。これに対し、第１の始動口３３ａ及び第２の始動口３３ｂの各作動口スイッチ２２４は中継基板を介さずに直接に主制御基板２６１ａに接続されている。
【００５７】
その他図示は省略するが、可変入賞装置３２には、大入賞口３２ａを開放するための大入賞口ソレノイドが設けられ、下部側の第２の始動口３３ｂには、電動役物を開放するための作動口ソレノイドが設けられている。
【００５８】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００５９】
第１制御基板ユニット２０１は、例えば略矩形状の取付台（主制御装置２６１の取付台２３０のみ図示し、それ以外の取付台は図示を省略する）を上下２つ有し、遊技盤３０の裏面側から見た状態での下側の取付台２３０（図８参照）に主制御装置２６１が搭載され、上側の取付台（図示省略）にサブ制御装置２６２が搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース（図示省略）と該ボックスベースの開口部を覆うボックスカバー（図示省略）とを備えている。これらボックスベースとボックスカバーとは、封印ユニット（図示省略）によって開封不能に連結され、これにより基板ボックス（図示省略）が封印されている。
【００６０】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２及び表示制御装置４５に出力されるようになっている。
【００６１】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００６２】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【００６３】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００６４】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できる。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００６５】
次に、裏パックユニット２０３の構成を説明する。裏パックユニット２０３は、図３に示すように、樹脂成形された裏パック３５１と遊技球の払出機構部３５２とを一体化したものである。
【００６６】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて上皿１９に供給される。
【００６７】
また、タンクレール３５６には、当該タンクレール３５６に振動を付加するためのバイブレータ３６０が設けられている。例えば、バイブレータ３６０が例えば２本のネジでタンクレール３５６に締結されて取り付けられる。さらに、バイブレータ３６０は、タンクレール３５６に面接触するのではなく、当該２本のネジの部分で接触しており、バイブレータ３６０による振動がより効果的にタンクレール３５６に伝わる。従って、仮にタンクレール３５６付近で球詰まりが生じた際、バイブレータ３６０が駆動されることで球詰まりが解消される。
【００６８】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされる。
【００６９】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制される。
【００７０】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力される。
【００７１】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００７２】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００７３】
ＲＡＭ５０３は、パチンコ機１０の電源のオフ後においても電源装置３１３からバックアップ電圧が供給されてデータが保持（バックアップ）できる構成としており、ＲＡＭ５０３には、各種のデータ等を一時的に記憶するためのメモリやエリアを備えている。
【００７４】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００７５】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【００７６】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成としており、ＲＡＭ５１３には、各種のデータ等を一時的に記憶するためのメモリやエリアを備えている。
【００７７】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００７８】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００７９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【００８０】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【００８１】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【００８２】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【００８３】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００８４】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【００８５】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００８６】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【００８７】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２２ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【００８８】
なお、電源部５４１は、電源部５４１で監視している交流２４ボルトが２２ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００８９】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【００９０】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【００９１】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示される。
【００９２】
続いて、本実施例のパチンコ機１０のさらなる特徴部分について図６〜図１６を用いて説明する。
【００９３】
図６は、実施例１の遊技盤３０の背面図である。図７は、実施例１の遊技盤３０を後方右上から見た後方斜視図である。図８は、実施例１の遊技盤３０の背後側の主制御装置２６１を左開き状態にした斜視図である。図９は、実施例１の遊技盤３０の背後側の取付台２３０を右開き状態にした斜視図である。図１０は、遊技盤３０を前方右上から見た分解斜視図である。図１１は、遊技盤３０を後方右上から見た分解斜視図である。図１２は、遊技盤３０を後方左下から見た分解斜視図である。図１３は、遊技盤３０を後方右下から見た分解斜視図である。図１４は、主制御装置２６１及び取付台２３０を取り外した状態の遊技盤３０の背面図である。図１５は、図１４の遊技盤３０を後方右下から見た斜視図である。図１６は、図１４の遊技盤３０を後方左下から見た斜視図である。
【００９４】
なお、図６〜図１６では、遊技盤３０の遊技領域３０ａの下部領域に、一般入賞口３１、可変入賞装置３２、始動入賞装置３３のみを配置した状態を図示し、その他の構成品（センターフレーム４７やレール５１，５２や釘など）の図示を省略している。
【００９５】
本実施例のパチンコ機１０は、図２を用いて前述したように、遊技球が打ち込まれる遊技領域３０ａが前面側に形成された遊技盤３０を備えている。この遊技盤３０は、図２に示すように、遊技領域３０ａに複数本の釘が立設されたものである。
【００９６】
この遊技領域３０ａの下部側箇所には、図２，図１０に示すように、始動入賞装置３３と、この始動入賞装置３３の直下に設けられた可変入賞装置３２と、始動入賞装置３３の略両側で離間した各箇所に配設された４個の一般入賞口３１と、が設けられている。
【００９７】
また、遊技盤３０の裏面には、図６，図７に示すように、遊技盤３０を裏面視した状態で手前側から奥側の順に、遊技を統括的に制御する主制御装置２６１と、この主制御装置２６１が取り付けられる取付台２３０と、図６，図７では取付台２３０の奥側に隠れて大部分が見えない集合通路盤６０（図９参照）とが、配設されている。
【００９８】
具体的には、遊技盤３０の裏面下部箇所には、図７〜図９に示すように、この遊技盤３０の裏面側に案内された遊技球を集めて排出する集合通路盤６０（集合板）が取り付けられている。
【００９９】
この集合通路盤６０の裏面側には、図８，図９に示すように、取付台２３０が回動可能に配設されている。具体的には、取付台２３０は、図９に示すように、遊技盤３０の裏面視で右端側を軸心として片開き可能に遊技盤３０に軸支されている。図９に示す片開き状態の取付台２３０を、図８に示すように閉状態とすると、集合通路盤６０の背面の大部分が取付台２３０で覆われて隠れた状態となる。また、取付台２３０は、図１０に示すように、その前面側の所定領域（図１０では前面側の左箇所および右箇所）に第１平坦部２３２を備えている。
【０１００】
また、集合通路盤６０は、図９，図１１に示すように、その裏面側に、取付台２３０の第１平坦部２３２の所定領域部分（上半分を上回る領域部分）が当接する第２平坦部７７を備えている。つまり、取付部２３０は、図８，図９に示すように、遊技盤３０の一端側（本実施例では右端側）を回動軸心として、第１平坦部２３２が集合通路盤６０の第２平坦部７７に当接した閉状態と、第１平坦部２３２が第２平坦部７７から離れた開状態とに回動変位可能に片開き支持されている。
【０１０１】
さらに、図９に示すように、遊技盤３０の裏面視で左端側を軸心として片開き可能に主制御装置２６１が遊技盤３０に軸支されている。つまり、主制御装置２６１は、図７，図８に示すように、遊技盤３０の左端側を軸心として、その裏面側が、閉状態の取付台２３０の裏面側に当接した閉状態と、この閉状態の取付台２３０の裏面側から離れた開状態とに回動変位可能に片開き支持されている。
【０１０２】
図８に示すように取付台２３０を閉状態にした上で、図８に示す片開き状態の主制御装置２６１を、図７に示すように閉状態とすると、この主制御装置２６１が取付台２３０の係止爪２３１により係止された状態となる。つまり、図７に示すように、閉状態の取付台２３０の係止爪２３１が、閉状態の主制御装置２６１に係止している。
【０１０３】
図７に示すように、閉状態の取付台２３０と閉状態の主制御装置２６１とを係止爪２３１によって係止した状態では、取付台２３０の第１平坦部２３２が集合通路盤６０の第２平坦部７７に当接している。
【０１０４】
ここで、集合通路盤６０について説明する。集合通路盤６０は、図９〜図１３に示すように、遊技盤３０の裏面下部箇所に取り付けられており、遊技盤３０の裏面側に案内された遊技球を集めて排出するものである。具体的には、集合通路盤６０は、図１０に示すように、一般入賞口３１、可変入賞装置３２、始動入賞装置３３に入賞した遊技球を集めて当該パチンコ機１０の下部の島設備に設けられた遊技球回収装置（図示省略）に向けて排出する通路を形成するものである。
【０１０５】
遊技盤３０は、図１０に示した一般入賞口３１、可変入賞装置３２及び始動入賞装置３３の各配設箇所に、貫通孔（図１３に示す一般入賞口用貫通孔５６、始動入賞装置用貫通孔５７及び可変入賞装置用貫通孔５８）がそれぞれ当該遊技盤３０の前後方向に貫通して形成されている。
【０１０６】
具体的には、図１０に示す遊技盤３０の一般入賞口３１の配置箇所には、図１３に示すように、一般入賞口用貫通孔５６が形成されている。また、図１０に示す遊技盤３０の始動入賞装置３３の配置箇所には、図１３に示すように、始動入賞装置用貫通孔５７が形成されている。また、図１０に示す遊技盤３０の可変入賞装置３２の配置箇所には、図１３に示すように、可変入賞装置用貫通孔５８が形成されている。
【０１０７】
これらの一般入賞口３１、可変入賞装置３２及び始動入賞装置３３に入賞した遊技球は、対応する貫通孔（図１３に示す一般入賞口用貫通孔５６、始動入賞装置用貫通孔５７及び可変入賞装置用貫通孔５８）を通過して当該遊技盤３０の背後に案内される。
【０１０８】
ここで、集合通路盤６０の構造等について、図１７〜図２５の図面も用いてもう少し詳細に説明する。
【０１０９】
図１７は、集合通路盤６０を前方右上から見た分解斜視図である。図１８（ａ）〜（ｃ）は、集合通路盤６０の本体部品６０Ａの正面図、背面図及び底面図である。図１９（ａ）〜（ｃ）は集合通路盤６０の下方向通路形成部品７０の正面図、背面図及び底面図である。図２０は、集合通路７１を破線で示す集合通路盤６０の背面図である。図２１は、図１４に示した遊技盤３０のＡ−Ａ線断面斜視図である。図２２は、図１４に示した遊技盤３０のＡ−Ａ線断面図である。図２３は、図１４に示した遊技盤３０のＢ−Ｂ線断面斜視図である。図２４（ａ）は遊技盤３０の裏面左下角部を示す図であり、図２４（ｂ）は遊技盤３０のＣ−Ｃ線断面図である。図２５は、図６に示した遊技盤３０のＤ−Ｄ線断面図である。
【０１１０】
集合通路盤６０は、図１７に示すように、遊技盤３０の裏面に取付可能な本体部品６０Ａと、この本体部品６０Ａの裏面側に取り付けられて、遊技盤３０の一般入賞口３１に入賞した遊技球を下方向に案内する通路を形成するための下方向通路形成部品７０と、を備えている。本体部品６０Ａ及び下方向通路形成部品７０は、例えば樹脂成型部品としている。
【０１１１】
集合通路盤６０は、本体部品６０Ａの裏面側に下方向通路形成部品７０を取り付けることで、一般入賞口３１に入賞した遊技球を集めるように案内する集合通路７１（図１７及び図２０参照）が形成される。この集合通路７１は、図２１，図２２に示すように、遊技球を奥方向に案内する奥方向案内通路部７２と、この奥方向案内通路部７２からの遊技球を下方向に案内する下方向案内通路部７３とを備えている。この集合通路７１の下流側、つまり、下方向案内通路部７３の下流側には、当該集合通路７１で案内された遊技球を外部に排出する排出口６１（図１５及び図１６参照）が形成されている。
【０１１２】
具体的には、奥方向案内通路部７２は、図２１，図２２に示すように、本体部品６０Ａでの一般入賞口３１が位置する箇所に、集合通路盤６０の遊技盤３０側（つまり、前面側）を正面視した状態で奥方向へ下り傾斜に形成されたものであり、一般入賞口３１からの遊技球を下方向案内通路部７３へ案内するものである。
【０１１３】
また、下方向案内通路部７３は、図２１，図２２に示すように、本体部品６０Ａでの裏面と、下方向通路形成部品７０での正面側窪み通路部分とで形成される遊技球通路空間であり、奥方向案内通路部７２からの遊技球を下方向に案内するものである。
【０１１４】
また、集合通路盤６０の排出口６１は、図１５，図１６及び図２２に示すように、下向きに開口している。
【０１１５】
具体的には、遊技盤３０の裏面視で左側の排出口６１は、図１５，図１６及び図２０に示すように、遊技盤３０の裏面下部左側の２個の一般入賞口３１に入賞した入賞球を下方に排出するためのものである。また、遊技盤３０の裏面視で中央の排出口６１は、図１５，図１６及び図２０に示すように、遊技盤３０の始動入賞装置３３の第２の始動口３３ｂに入賞した入賞球と、可変入賞装置３２に入賞した入賞球とを下方に排出するためのものである。また、遊技盤３０の裏面視で右側の排出口６１は、図１５，図１６及び図２０に示すように、遊技盤３０の裏面下部右側の２個の一般入賞口３１に入賞した入賞球を下方に排出するためのものである。また、始動入賞装置３３の第１の始動口３３ａに入賞した入賞球は、図２０に一点鎖線で示す経路で案内されて、図２３に示すように、左側の排出口６１と中央の排出口６１との間の排出口６１から下方に排出される。
【０１１６】
この排出口６１は、図２１，図２２に示すように、さらに遊技盤３０の裏面に対して間隔を空けて位置している。本実施例では、排出口６１は、図２２に示すように、遊技盤３０の裏面から遊技球１個分（例えば１１ミリ）の間隔を空けた、集合通路盤６０での箇所に形成されている。この排出口６１の遊技盤３０の裏面からの間隔は１１ミリよりも大きくしてもよい。
【０１１７】
さらに、集合通路盤６０は、図２１，図２２に示すように、その下部側で且つ排出口６１と遊技盤３０との間に、下向きに開口した下向き開口穴部６２を備えている。本実施例では、下向き開口穴部６２の窪み深さは、図２２に示すように、例えば８ミリ程度としているが、８ミリ以外の窪み深さとしてもよい。
【０１１８】
ここで、下方向案内通路部７３の構造についてもう少し詳細に説明する。下方向案内通路部７３は、図２０，図２１に示すように、その通路途中箇所に、一般入賞口３１に入賞した遊技球の入賞検出する入賞口スイッチ２２１（通過検出センサ：近接センサ）を備えている。
【０１１９】
さらに、下方向案内通路部７３は、図２０に示すように、入賞口スイッチ２２１よりも下流側の全範囲箇所が、当該下方向案内通路部７３での入賞口スイッチ２２１が存する箇所の第１通路径Ｗ１よりも大きい第２通路径Ｗ２である幅広通路部７４としている。
【０１２０】
遊技盤３０の裏面視で左側の排出口６１は、図２０に示すように、幅広通路部７４の下流側に形成されており、少なくとも第１通路径Ｗ１よりも大きい開口径であり、第２通路径Ｗ２の開口径としている。遊技盤３０の裏面視で右側の排出口６１についても、図２０に示すように、幅広通路部７４の下流側に形成されており、少なくとも第１通路径Ｗ１よりも大きい開口径であり、第２通路径Ｗ２の開口径としている。
【０１２１】
なお、下方向案内通路部７３での入賞口スイッチ２２１よりも下流側の全範囲箇所のうちの少なくとも一部（例えば、排出口６１側の箇所）が、当該下方向案内通路部７３での入賞口スイッチ２２１が存する箇所の第１通路径Ｗ１よりも大きい第２通路径Ｗ２である幅広通路部７４としてもよい。つまり、図２０に示すように下方向案内通路部７３での入賞口スイッチ２２１よりも下流側の全範囲を幅広通路部７４とするのではなく、排出口６１に近い箇所のみを幅広通路部７４としてもよい。
【０１２２】
また、下方向案内通路部７３での入賞口スイッチ２２１の存する通路部分は、図２０に示すように、集合通路盤６０の裏面視において幅広通路部７４の上側箇所でその幅方向両端部以外の箇所に連通している。つまり、下方向案内通路部７３での入賞口スイッチ２２１の存する通路部分は、図２０に示すように、幅広通路部７４の幅方向両端部から離れた箇所（間隔を空けた箇所）に形成されている。
【０１２３】
さらに、図２０に示すように、幅広通路部７４の上側箇所で且つ幅方向両端部には、上方向に延出した上部延出窪み部７５を備えている。具体的には、図２０に示すように、集合通路盤６０の裏面視において左側の幅広通路部７４は、その上側箇所で左端部及び右端部に、上方向に延出した上部延出窪み部７５をそれぞれ備えている。
【０１２４】
排出口６１は、図１５，図２２に示すように下向き開口としている。集合通路盤６０は、図１５，図１６すように排出口６１の各辺のうちで遊技盤３０から遠い方の辺部分を上方向に切り欠いた切り欠き面部７６を備えている。この切り欠き面部７６は、図２１，図２２に示すように、下方向通路形成部品７０の本体部品６０Ａの裏面への取付状態において、下方向通路形成部品７０の下端部が本体部品６０Ａの下端部よりも１５ミリ程度短くすることで構成されている。
【０１２５】
ここで、集合通路盤６０の前面側の構成について説明する。
【０１２６】
集合通路盤６０は、図１０，図１７に示すように、光を照射するＬＥＤ（発光ダイオード）が前面側に複数個実装されたＬＥＤ基板８０と、本体部品６０Ａの前面側（遊技盤３０の対向面側）に形成された、遊技盤３０の裏面側に向けて光を照射するようにＬＥＤ基板８０を収容する収容空間部６３とを備えている。
【０１２７】
なお、このＬＥＤ基板８０の図示省略のＬＥＤは複数種類の有色光が発光可能なものとしてもよいし、単色光発光タイプのものを採用してもよい。
【０１２８】
ＬＥＤ基板８０は、図１７に示すように、その裏面の所定箇所（本実施例では例えば外縁の一部）が本体部品６０Ａの収容空間部６３の当接部（図示省略）に当接するようにして当該収容空間部６３に収容されるとともに、その前面の所定端部箇所である被係止箇所に、収容空間部６３に設けられた係止爪６４が係止することで、収容空間部６３に収容支持されている。下方向案内通路部７３は、図２１，図２２に示すように、収容空間部６３よりも奥側（つまり、本体部品６０Ａの裏面側）に設けられており、奥方向案内通路部７２からの遊技球を下方向に案内する。
【０１２９】
また、ＬＥＤ基板８０は、図１７，図１８（ａ）に示すように、集合通路盤６０の収容空間部６３に形成された奥方向案内通路部７２を避けるように矩形状に切り欠かれた逃がし部８１を備えている。ＬＥＤ基板８０の逃がし部８１に奥方向案内通路部７２が位置するようにして当該ＬＥＤ基板８０が収容空間部６３に収容支持される。
【０１３０】
なお、ＬＥＤ基板８０は、その前面側に導光部材（図示省略）を備えるものとし、ＬＥＤからの光が導光部材（図示省略）に入射されて当該導光部材内部で例えば拡散されて出射面から遊技盤３０の裏面側に出射されるようにしてもよい。
【０１３１】
さらに、この本体部品６０Ａは、図１７に示すように、遊技盤３０に磁石を近づけたことを検出する磁気検出センサ６７と、この磁気検出センサ６７を支持する磁気検出センサホルダー６８とを備えている。
【０１３２】
この磁気検出センサ６７は、例えば、不正行為者が遊技盤３０のガラス板１３７（図１参照）面に磁石を近づけることで、遊技盤３０を流下する遊技球を、不正に第１の始動口３３ａ等に入賞させようとする不正行為を検出するためのものである。この磁気検出センサで磁気検出（不正に磁石を近づけたことを検出）は、主制御基板２６１ａあるいはホール側のホストコンピュータ等に出力され、エラー報知（パチンコ機での報知やホール側での報知）や遊技の停止（一部遊技停止）などが行われる。
【０１３３】
この磁気検出センサホルダー６８は、図１７に示すように、本体部品６０Ａの遊技盤３０と対向する側を見た状態で、本体部品６０Ａの周縁箇所のうちの一部箇所（本実施例では、上部中央から左側にずれた左側箇所と、上部中央から右側にずれた右側箇所）に、遊技盤３０の裏面に当接するようにして設けられている。なお、磁気検出センサホルダー６８を遊技盤３０の裏面に近接するようにしてもよい。
【０１３４】
さらに、集合通路盤６０は、図１７，図２３に示すように、その前面側の中央上部側箇所に、第１の始動口用通路部８６を備えている。この第１の始動口用通路部８６は、遊技盤３０の第１の始動口３３ａに入賞した遊技球を案内するものである。さらに、この第１の始動口用通路部８６は、図２３に示すように、作動口スイッチ２２４を備えており、第１の始動口用通路部８６を流下する遊技球が作動口スイッチ２２４で通過検出される。
【０１３５】
具体的には、第１の始動口用通路部８６は、図２０，図２３に示すように、奥方向に向かう奥向き通路８６ａと、この奥向き通路８６ａから下方向に案内する下向き通路８６ｂとを備えている。奥向き通路８６ｂは、本体部品６０Ａに形成されている。下向き通路８６ｂの上流側部分は、本体部品６０Ａで構成され、下向き通路８６ｂの上流側部分以外の部分は、本体部品６０Ａの裏面と下方向通路形成部品７０での正面側窪み通路部分とで形成された遊技球通路空間である。
【０１３６】
また、第１の始動口用通路部８６は、図１７に示すように、その入口部８６ｃが、本体部品６０Ａの正面側（遊技盤３０と対向する側）を見た状態でその周縁箇所のうちの一部箇所である中央上部に、遊技盤３０の裏面に当接するようにして設けられている。なお、第１の始動口用通路部８６の入口部８６ｃを遊技盤３０の裏面に近接するようにしてもよい。
【０１３７】
なお、第２の始動口３３ｂに入賞した遊技球は、図１７に示すように、第１の始動口用通路部８６の下部の平面視でコノ字状通路部８６ｄを通って可変入賞装置３２の上部に案内され、可変入賞装置３２の図示省略の通路を通って、中央の排出口６１から下方に排出される。また、第２の始動口３３ｂに入賞した遊技球は、可変入賞装置３２の図示省略の通路に設けられた作動口スイッチ２２４で通過検出される。
【０１３８】
また、集合通路盤６０は、図９，図１０に示すように、その裏面側中央箇所に、中継基板部品９０を備えている。この中継基板部品９０は、図９，図１０に示すように、主制御装置２６１の主制御基板２６１ａ（図４参照）と可変入賞装置３２のカウントスイッチ２２３との電気的接続を中継する大入賞口中継端子基板９１と、この大入賞口中継端子基板９１が入れられる中継基板ベース９３と、大入賞口中継端子基板９１が中継基板ベース９３に入れられた状態でこの中継基板ベース９３の開口右辺側を覆うように中継基板ベース９３の右端に挿入される中継基板カバー９５と、を備えている。
【０１３９】
つまり、中継基板カバー９５は、図１０に示すように、その大入賞口中継端子基板９１が入れられる側からネジが挿入された状態で集合通路盤６０の本体部品６０Ａにネジ止めされる。そして、大入賞口中継端子基板９１が中継基板ベース９３に入れられて、中継基板ベース９３の右辺側に中継基板カバー９５が挿入されて、この中継基板カバー９５が抜けないように係止爪９５ａで係止される。
【０１４０】
したがって、大入賞口中継端子基板９１が中継基板ベース９３に入れられた状態では、大入賞口中継端子基板９１の左辺箇所が中継基板ベース９３の左端前板部によって外れ出ないように規制され、大入賞口中継端子基板９１の右辺箇所が中継基板カバー９５によって外れ出ないように規制されている。
【０１４１】
なお、中継基板カバー９５は、図１０に示すように、その大入賞口中継端子基板９１が入れられる側からネジが挿入された状態で集合通路盤６０の本体部品６０Ａにネジ止めされており、中継基板カバー９５が抜けないように係止爪９５ａで中継基板ベース９３に係止されているため、中継基板カバー９５のかしめ解除用被破壊部９５ｂを切断しなければ、大入賞口中継端子基板９１を取り出すことができない構造となっている。つまり、中継基板カバー９５のかしめ解除用被破壊部９５ｂを切断し、大入賞口中継端子基板９１を取り出すことで、中継基板ベース９３のネジにアクセスできる。
【０１４２】
続いて、取付台２３０について説明する。取付台２３０は、図１０〜図１３に示すように、その前面側に、集合通路盤６０の裏面側との隙間を埋めるためのスペーサ部２３０Ａを有するとともに、その裏面側に主制御装置２６１が装着されるベース部品である。
【０１４３】
具体的には、取付台２３０は、図１０〜図１３に示すように、開口部を有する箱状のスペーサ部２３０Ａと、このスペーサ部２３０Ａの開口部を閉じるように取り付けられる蓋部２３０Ｂとを備えている。スペーサ部２３０Ａの開口部に形成された係止爪２３３が、蓋部２３０Ｂの係止孔２３４に係止するようにして、スペーサ部２３０Ａと蓋部２３０Ｂとが組み合わされる。
【０１４４】
主制御装置２６１は、図６，図７に示すように、その裏面側の所定箇所（本実施例では、上部左箇所）に、図示省略のケーブルが接続されるコネクタ部ＣＯＮを備えている。
【０１４５】
取付台２３０の第１平坦部２３２の所定領域部分（上半分を上回る領域部分）が集合通路盤６０の裏面側の第２平坦部７７に当接するように当該取付台２３０が集合通路盤６０の裏面側に配設された状態において、主制御装置２６１の裏面視でコネクタ部ＣＯＮの存する箇所に第２平坦部７７及び第１平坦部２３２が位置している。
【０１４６】
集合通路盤６０は、図１４〜図１６に示すように、その裏面側で第２平坦部７７以外の所定領域（本実施例では第２平坦部７７よりも下部領域）に、当該第２平坦部７７よりも一段低くなった下段平坦部７８が形成されている。この下段平坦部７８は、図１４〜図１６に示すように、一般入賞口３１への遊技球の入賞を検出する入賞口スイッチ２２１が取り付けられる取付窪み部７８ａと、入賞口スイッチ２２１の破線で示す配線２２２を止める止め部７８ｂとを備えるとともに、第２平坦部７７との段差は、破線で示す配線２２２の直径よりも大きくしている。
【０１４７】
さらに、図１１に示すように、遊技盤３０の裏面側で下部右端箇所及び下部左端箇所には、固定部品１１０がネジ１０９によってそれぞれ締結固定されている。この左右の固定部品１１０は、図１４に示すように、遊技盤３０の裏面側で本体部品６０Ａを着脱可能にスライド支持するスライド支持部１１５をそれぞれ備えている。
【０１４８】
具体的には、本体部品６０Ａは、図１７及び図１８（ａ），（ｂ）に示すように、その左側面箇所及び右側面箇所に、その側面から突出して同一縦線上で上方向及び下方向にそれぞれ折れ曲がった形状のレール部６５を備えている。そして、固定部品１１０のスライド支持部１１５は、図１４及び図１５に示すように、本体部品６０Ａに近い方の側辺箇所に、本体部品６０Ａのレール部６５がスライド挿入されるスライド受け部１１６を備えている。
【０１４９】
このスライド受け部１１６は、固定部品１１０での本体部品６０Ａに近い方の側面箇所から突出して同一縦線上で上部が下方向に折れ曲るとともに下部が上方向に折れ曲った略コの字形状としたものであり、挿入方向視で略コの字状のスライド空間（スライド案内穴部）に本体部品６０Ａのレール部６５がスライド挿入されるものである。
【０１５０】
さらに、遊技盤３０の裏面視で左側の固定部品１１０のスライド支持部１１５は、図２４に示すように、本体部品６０Ａの支持状態において、本体部品６０Ａの取り外し方向への移動を規制するように当該本体部品６０Ａと係止する縦長の規制爪１１７を備えている。
【０１５１】
具体的には、遊技盤３０の裏面視で左側の固定部品１１０のスライド支持部１１５のスライド受け部１１６は、図２４に示すように、その挿入奥側位置に、規制爪１１７を備えている。また、本体部品６０Ａの裏面視で左側面箇所でレール部６５の箇所には、被係止部６６が形成されている。本体部品６０Ａを固定部品１１０のスライド支持部１１５にスライド挿入する際には、図２４に示す規制爪１１７は本体部品６０Ａの被係止部６６が当接することで固定部品１１０の方に撓み、本体部品６０Ａをその取付位置までスライド挿入することができる。そして、図２４に示すように、本体部品６０Ａが取付位置までスライド挿入されると規制爪１１７の撓みが解除されて、本体部品６０Ａの被係止部６６の手前側に規制爪１１７が位置する状態となり、本体部品６０Ａのスライド取り外しが規制爪１１７に被係止部６６が当ることで規制された状態となる。
【０１５２】
また、遊技盤３０の裏面視で右側の固定部品１１０のスライド支持部１１５も、前述した左側の固定部品１１０のスライド支持部１１５と同様に、図２５に示すように、本体部品６０Ａの支持状態において、本体部品６０Ａの取り外し方向への移動を規制するように当該本体部品６０Ａと係止する規制爪１１７を備えている。
【０１５３】
具体的には、遊技盤３０の裏面視で右側の固定部品１１０のスライド支持部１１５のスライド受け部１１６は、図２５に示すように、その挿入奥側位置に、規制爪１１７を備えている。また、本体部品６０Ａの裏面視で右側面箇所でレール部６５の箇所には、被係止部６６が形成されている。本体部品６０Ａを固定部品１１０のスライド支持部１１５にスライド挿入する際には、図２５に示す規制爪１１７は本体部品６０Ａの被係止部６６が当接することで固定部品１１０の方に撓み、本体部品６０Ａをその取付位置までスライド挿入することができる。そして、図２５に示すように、本体部品６０Ａが取付位置までスライド挿入されると規制爪１１７の撓みが解除されて、本体部品６０Ａの被係止部６６の手前側に規制爪１１７が位置する状態となり、本体部品６０Ａのスライド取り外しが規制爪１１７に被係止部６６が当ることで規制された状態となる。
【０１５４】
また、遊技盤３０の裏面視で右側の固定部品１１０は、図９〜図１１に示すように、取付台２３０を集合通路盤６０の裏面側に位置させた状態に支持する、スライド支持部１１５とは別の取付台用支持部１３０を備えている。
【０１５５】
つまり、取付台２３０は、図９に示すように、遊技盤３０の裏面視で一端側（本実施例では右端側）の固定部品１１０の取付台用支持部１３０の支持軸Ｊ２を回動軸心として、第１平坦部２３２が集合通路盤６０の第２平坦部７７に当接した閉状態（図８参照）と、第１平坦部２３２が第２平坦部７７から離れた開状態（図９参照）とに回動変位可能に片開き支持されている。
【０１５６】
具体的には、遊技盤３０の裏面視で右側の固定部品１１０は、例えば樹脂成形品である。取付台用支持部１３０は、図１１，図１５に示すように、取付台２３０の裏面視左端箇所に形成された略円柱状の軸部２３５が位置する軸受部１３１を備えている。この軸受部１３１は、図１１に示すように、上部と下部とが半円筒状に窪んだ形状であり、その上部と下部との間に前後方向に貫通した正面視で矩形状の開口部１３２を備えている。この開口部１３２の左右の内側面には、縦方向に間隔を空けて並んだ３個の係止突起部１３３が形成されている。また、図１１に示すように、取付台２３０の略円柱状の軸部２３５は、その上部及び下部箇所が当該取付台２３０の腕部２３０Ｃに連結されている。
【０１５７】
取付台２３０の軸部２３５を固定部品１１０の軸受部１３１に位置させた状態で、平面視Ｕの字状でその両先端の外側箇所に係止爪２４１が形成された係止部品２４０を、軸受部１３１の係止突起部１３３に係止されるように装着することで、係止部品２４０は取り外せなくなるのみならず、図９に示すように、取付台２３０の軸部２３５がこの固定部品１１０の軸受部１３１で支持軸Ｊ２を回動軸心として取付台２３０が回動可能に軸支される。図１０に示すように、係止部品２４０の一端の係止爪２４１が取付台２３０の軸部２３５の横側の開口２３６に挿入された状態で、係止部品２４０の係止爪２４１が軸受部１３１の係止突起部１３３に係止されている。
【０１５８】
また、遊技盤３０の裏面視で左側の固定部品１１０は、図９〜図１１に示すように、主制御装置２６１を集合通路盤６０の裏面側に位置させた状態に支持する、スライド支持部１１５とは別の主制御装置用支持部１４０を備えている。
【０１５９】
つまり、主制御装置２６１は、図９に示すように、遊技盤３０の裏面視で他端側（本実施例では左端側）の固定部品１１０の主制御装置用支持部１４０の支持軸Ｊ３を回動軸心として、その裏面側が、閉状態の取付台２３０の裏面側に当接した閉状態（図７参照）と、閉状態の取付台２３０の裏面側から離れた開状態（図８参照）とに回動変位可能に片開き支持されている。
【０１６０】
図１５，図２４に示すように、遊技盤３０の裏面視で左端側の固定部品１１０は、例えば樹脂成形品である固定部品本体１１１に、先端に貫通軸孔１１２がそれぞれ形成されたコの字状の金属部品１１３を取り付けたものであり、図１０に示すように、主制御装置２６１の正面視右側の軸部がこの固定部品１１０の貫通軸孔１１２に圧入されて回動可能に軸支されている。
【０１６１】
なお、上述した遊技盤３０を構成する遊技板３０ｂが後述する遊技部品に相当し、上述した集合通路盤６０が球排出部品に相当し、上述した取付台２３０が配設部品に相当し、上述した一般入賞口３１が入賞部品に相当し、上述した一般入賞口用貫通孔５６が貫通孔に相当し、上述した集合通路７１が通路部に相当し、上述した下向き開口穴部６２が空間部に相当し、上述した入賞口スイッチ２２１が入賞検出手段に相当し、上述した幅広通路部７４が拡大通路部に相当し、上述した上部延出窪み部７５が上部延出空間部に相当し、上述したＬＥＤ基板８０が照明手段、照明部品、部品に相当し、上述した収容空間部６３が収容部、部品収容部に相当し、上述した奥方向案内通路部７２が奥方向通路部に相当し、上述した下方向案内通路部７３が下方向通路部に相当し、上述した主制御装置２６１が制御手段に相当し、上述したスライド支持部１１５が支持部に相当し、上述したネジ１０９が締結部品に相当し、上述した固定部品１１０が固定部に相当し、上述した規制爪１１７が係止部に相当し、上述した取付台用支持部１３０、主制御装置用支持部１４０が配設部品用支持部に相当する。
【０１６２】
上述したように、本実施例１のパチンコ機１０によれば、遊技球が打ち込まれる遊技領域３０ａが前面側に形成された遊技盤３０と、この遊技盤３０の裏面に配設されて遊技盤３０の裏面側に案内された遊技球を集めて排出する集合通路盤６０とを備え、遊技盤３０は、遊技領域３０ａの所定箇所（例えば、下部側の４箇所）に前後方向に貫通形成された一般入賞口用貫通孔５６と、遊技領域３０ａの一般入賞口用貫通孔５６箇所に設けられた、遊技球が入球可能な一般入賞口３１とを備え、集合通路盤６０は、一般入賞口３１に入賞した遊技球を集めるように案内する集合通路７１と、当該集合通路７１の下流側に形成された、集合通路７１で案内された遊技球を排出する排出口６１とを備え、排出口６１は、遊技盤３０の裏面に対して間隔を空けて位置しており、集合通路盤６０は、その下部側で且つ排出口６１と遊技盤３０との間に、下向きに開口した下向き開口穴部６２を備えている。
【０１６３】
したがって、例えば不正行為者が薄板状の不正具をパチンコ機１０の前面側から不正に進入させ、その不正具を手探りで遊技盤３０に沿わせるように当該遊技盤３０の裏面側まで進ませたとしても、排出口６１は、遊技盤３０の裏面に対して間隔を空けて位置しているので、遊技盤３０裏面の集合通路盤６０の排出口６１への進入し難くできる。さらに、集合通路盤６０は、その下部側で且つ排出口６１と遊技盤３０との間に、下向きに開口した下向き開口穴部６２を備えているので、不正行為者によって手探りで不正進入させてきた不正具の先端が下向き開口穴部６２に捕らえられ、排出口６１への進入を低減させることができる。よって、集合通路盤６０の集合通路７１内で遊技球を意図的に詰まらせることが低減でき、不正に入賞カウント（入賞検出）を上げる不正行為も低減できる。その結果、集合通路盤６０（入賞球集合通路品）の排出口６１への不正具の進入を低減できるパチンコ機１０を提供することができる。
【０１６４】
また、集合通路７１は、その通路途中箇所に、一般入賞口３１に入賞した遊技球の入賞検出する入賞口スイッチ２２１を備え、さらに、集合通路７１は、入賞口スイッチ２２１よりも下流側の所定範囲箇所が、当該集合通路７１での入賞口スイッチ２２１が存する箇所の第１通路径Ｗ１よりも大きい第２通路径Ｗ２である幅広通路部７４であり、排出口６１は、幅広通路部７４の下流側に形成されており、少なくとも第１通路径Ｗ１よりも大きい開口径である。したがって、集合通路７１での入賞口スイッチ２２１よりも下流側の所定範囲箇所が幅広通路部７４となっているので、仮に不正具を排出口６１から進入させることができたとしても、幅広通路部７４が大きくなっており、集合通路７１での入賞口スイッチ２２１の存する通路部分を見つけることを困難とすることができる。また、排出口６１が大きくなっているので、集合通路７１の経路変更や入賞口スイッチ２２１の位置変更などがあっても、その排出口６１位置を変更することなく対応することができ、集合通路盤６０の通路に関する設計変更負担を低減できる。
【０１６５】
また、集合通路７１での入賞口スイッチ２２１の存する通路部分は、幅広通路部７４の上側箇所でその幅方向両端部以外の箇所に連通しているので、仮に不正具を排出口６１から進入させて幅広通路部７４の幅方向両端の内側壁に沿わせて進ませたとしても、幅広通路部７４の上側箇所でその幅方向両端部には、入賞口スイッチ２２１の存する通路部分が存在せず行き止まりであるので、集合通路７１での入賞口スイッチ２２１の存する通路部分を見つけることをさらに困難とすることができ、当該通路部分に不正具を進めることが困難である。
【０１６６】
また、幅広通路部７４の上側箇所でその幅方向両端部には、上方向に延出した上部延出窪み部７５を備えているので、仮に不正具を排出口６１から進入させて幅広通路部７４の幅方向両端の内側壁に沿わせて進ませたとしても、幅広通路部７４の上側箇所でその幅方向両端部の上部延出窪み部７５に入り込んで行き詰ってしまい、集合通路７１での入賞口スイッチ２２１の存する通路部分を見つけることをさらに困難とすることができ、当該通路部分に不正具を進めることが困難である。
【０１６７】
また、排出口６１は、下向き開口としている。集合通路盤６０は、排出口６１の各辺のうちで遊技盤３０から遠い方の辺部分を上方向に切り欠いた切り欠き面部７６を備えている。したがって、仮に薄板状の不正具を遊技盤３０に沿わせるように手探りで当該遊技盤３０の裏面側まで進ませ、排出口６１と遊技盤３０裏面との間の下向き開口穴部６２を越えた位置にまで不正具が到達したとしても、排出口６１の各辺のうちで遊技盤３０から遠い方の辺部分が切り欠かれているため、不正具の先端が排出口６１を越えた位置に素通りして排出口６１の手応えが得られず、排出口６１の存在を不正行為者に気付かせ難くでき、排出口６１への進入を低減させることができる。よって、集合通路盤６０の集合通路７１内で遊技球を意図的に詰まらせることが低減でき、不正に入賞カウント（入賞検出）を上げる不正行為も低減できる。
【０１６８】
また、集合通路盤６０での遊技盤３０の対向面側に形成された収容空間部６３には、遊技盤３０の裏面側に向けて光を照射するようにＬＥＤ基板８０が収容されており、この収容空間部６３の奥側に下方向案内通路部７３が位置しているので、ＬＥＤ基板８０と遊技盤３０との間に集合通路盤６０の下方向案内通路部７３が存在しないので、ＬＥＤ基板８０からの光が下方向案内通路部７３で減衰することによる輝度不足や、ＬＥＤ基板８０からの光が下方向案内通路部７３で意図しない光り方となる問題を解消できる。
【０１６９】
また、遊技球が打ち込まれる遊技領域３０ａが前面側に形成された遊技盤３０と、この遊技盤３０の裏面に配設されて遊技盤３０の裏面側に案内された遊技球を集めて排出する集合通路盤６０と、この集合通路盤６０の裏面側に配設される取付台２３０と、を備え、この取付台２３０は、その前面側の所定領域（図１０では前面側の左箇所および右箇所）に形成された第１平坦部２３２を備え、集合通路盤６０は、その前面側に形成された、遊技盤３０を裏面側から照らすＬＥＤ基板８０を収容する収容空間部６３と、その裏面側に形成された、取付台２３０の第１平坦部２３２の所定領域部分（上半分を上回る領域部分）が当接する第２平坦部７７とを備えている。
【０１７０】
したがって、取付台２３０は、集合通路盤６０の裏面側に配設され、その前面側の所定領域（図１０では前面側の左箇所および右箇所）に第１平坦部２３２が形成されており、集合通路盤６０の前面側の収容空間部６３は、遊技盤３０を裏面側から照らすＬＥＤ基板８０を収容するので、ＬＥＤ基板８０が集合通路盤６０の裏面側にむき出しになることを解消できる。また、集合通路盤６０の裏面側の第２平坦部７７には取付台２３０の第１平坦部２３２の所定領域部分（上半分を上回る領域部分）が当接するので、集合通路盤６０の裏面側と取付台２３０との隙間を小さくすることができ、かかる隙間への不正基板の不正装着を低減できる。また、取付台２３０（例えばスペーサ）の前面側の所定領域（図１０では前面側の左箇所および右箇所）である第１平坦部２３２は、集合通路盤６０の裏面側の第２平坦部７７と同様に平坦形状となっているので、ＬＥＤ基板８０の配線２２２を引っ掛けてしまわないための形状及びクリアランスを考慮する必要がなく、取付台２３０（例えばスペーサ）の設計負担を低減することができる。
【０１７１】
また、遊技盤３０は、遊技領域３０ａの所定箇所に前後方向に貫通形成された一般入賞口用貫通孔５６と、遊技領域３０ａの一般入賞口用貫通孔５６箇所に設けられた、遊技球が入球可能な一般入賞口３１とを備え、集合通路盤６０は、その裏面側で第２平坦部７７以外の所定領域（本実施例では第２平坦部７７よりも下部領域）に、当該第２平坦部７７よりも一段低くなった下段平坦部７８が形成されており、この下段平坦部７８は、一般入賞口３１への遊技球の入賞を検出する入賞口スイッチ２２１が取り付けられる取付窪み部７８ａと、入賞口スイッチ２２１の配線２２２を止める止め部７８ｂとを備えるとともに、第２平坦部７７との段差は配線２２２の直径よりも大きいので、集合通路盤６０の裏面側の第２平坦部７７に取付台２３０の第１平坦部２３２の所定領域部分（上半分を上回る領域部分）が当接した状態において、入賞口スイッチ２２１の配線２２２が取付台２３０によって集合通路盤６０に抑圧されることを防止でき、かかる抑圧に起因する配線２２２の切断や損傷を防止できる。
【０１７２】
また、取付台２３０は、その前面側に、集合通路盤６０の裏面側との隙間を埋めるためのスペーサ部２３０Ａを有するとともに、その裏面側に主制御装置２６１が装着されるベース部品であり、主制御装置２６１は、その裏面側の所定箇所（本実施例では、上部左箇所）に、図示省略のケーブルが接続されるコネクタ部ＣＯＮを備え、取付台２３０の第１平坦部２３２の所定領域部分（上半分を上回る領域部分）が集合通路盤６０の裏面側の第２平坦部７７に当接するように当該取付台２３０が集合通路盤６０の裏面側に配設された状態において、主制御装置２６１の裏面視でコネクタ部ＣＯＮの存する箇所に第２平坦部７７及び第１平坦部２３２が位置しているので、主制御装置２６１のコネクタ部ＣＯＮに図示省略のケーブルを接続する場合に、このコネクタ部ＣＯＮが押されたとしても、取付台２３０の第１平坦部２３２の集合通路盤６０の第２平坦部７７への当接により、取付台２３０の撓みを低減することができる。
【０１７３】
また、取付台２３０は、遊技盤３０の右端側を回動軸心として、第１平坦部２３２が集合通路盤６０の第２平坦部７７に当接した閉状態と、第１平坦部２３２が第２平坦部７７から離れた開状態とに回動変位可能に片開き支持され、主制御装置２６１は、遊技盤３０の左端側を軸心として、その裏面側が、閉状態の取付台２３０の裏面側に当接した閉状態と、閉状態の取付台２３０の裏面側から離れた開状態とに回動変位可能に片開き支持され、閉状態の取付台２３０と、閉状態の主制御装置２６１とを係止する係止爪２３１を備えている。したがって、係止爪２３１は、閉状態の取付台２３０と、閉状態の主制御装置２６１とを係止するので、取付台２３０の第１平坦部２３２の所定領域部分（上半分を上回る領域部分）が集合通路盤６０の裏面側の第２平坦部７７に当接する状態を維持でき、集合通路盤６０と取付台２３０との間への不正基板の介装を低減できる。
【０１７４】
また、閉状態の取付台２３０と閉状態の主制御装置２６１とを係止爪２３１によって係止した状態では、取付台２３０の第１平坦部２３２が集合通路盤６０の第２平坦部７７に当接しているので、集合通路盤６０と取付台２３０との間の隙間を無くすことができ、集合通路盤６０と取付台２３０との間への不正基板の介装を防止できる。
【０１７５】
また、本実施例１のパチンコ機１０によれば、遊技球が打ち込まれる遊技領域３０ａが前面側に形成された遊技盤３０と、この遊技盤３０の裏面に配設されて遊技盤３０の裏面側に案内された遊技球を集めて排出する集合通路盤６０とを備え、集合通路盤６０は、遊技盤３０の裏面側と対向する側に開口した収容空間部６３を有するとともに収容空間部６３にＬＥＤ基板８０が収容される本体部品６０Ａと、遊技盤３０の裏面側で本体部品６０Ａを着脱可能に支持するスライド支持部１１５を有するとともに、遊技盤３０の裏面側にスライド支持部１１５とは別部位においてネジ１０９によって締結固定された固定部品１１０と、を備えている。したがって、集合通路盤６０の前面側に開口した収容空間部６３にＬＥＤ基板８０を収納している構成下において、かかるＬＥＤ基板８０の故障が発生した場合には、ネジ１０９を取り外すことなく集合通路盤６０の本体部品６０Ａを固定部品１１０のスライド支持部１１５から取り外すことができ、本体部品６０ＡのＬＥＤ基板８０を交換し、本体部品６０Ａを遊技盤３０のスライド支持部１１５に取り付けることができ、部品交換の作業性に優れる。その結果、遊技盤３０と集合通路盤６０（入賞球集合通路部品）との間に配設された部品（ＬＥＤ基板８０）を迅速に交換することができるパチンコ機１０を提供することができる。また、集合通路盤６０の本体部品６０Ａを遊技板３０ｂの裏面に止めるための締結部品（ビスやネジなど）を削減できる。
【０１７６】
また、固定部品１１０は、遊技板３０ｂの裏面側での本体部品６０Ａの両側近傍箇所にそれぞれ固定される。固定部品１１０のスライド支持部１１５に備えられた縦長の規制爪１１７は、本体部品６０Ａの両側境界部分に設けられ、本体部品６０Ａの支持状態において、本体部品６０Ａの取り外し方向への移動を規制するように当該本体部品６０Ａと係止するので、集合通路盤６０の本体部品６０Ａを、集合通路盤６０の固定部品１１０のスライド支持部１１５による支持状態において、外れないように保持することができる。また、集合通路盤６０の収容空間部６３の部品交換の際には、規制爪１１７による係止を解除して本体部品６０Ａを固定部品１１０から取り外し、本体部品６０Ａの収容空間部６３のＬＥＤ基板８０を交換し、この本体部品６０Ａを固定部品１１０のスライド支持部１１５で支持されるように取り付けると規制爪１１７で係止されるので、本体部品６０Ａの着脱に際してネジ１０９の取り付けや取り外しが不要であり、本体部品６０Ａを迅速に交換できる。また、縦長の規制爪１１７を本体部品６０Ａの両側境界部分に設けているので、横長の係止爪を採用する場合に比べて、集合通路盤６０を横幅方向に大きいものを採用することができる。
【０１７７】
また、取付台２３０及び主制御装置２６１は、集合通路盤６０の裏面側に配設される。取付台用支持部１３０及び主制御装置用支持部１４０は、取付台２３０，主制御装置２６１を集合通路盤６０の裏面側に位置させた状態にそれぞれ支持する。したがって、固定部品１１０の取付台用支持部１３０や固定部品１１０の主制御装置用支持部１４０が破損等した場合には、固定部品１１０を交換するだけでよく、集合通路盤６０の本体部品６０Ａはそのまま使用することができる。また、固定部品１１０は他機種の遊技機にも流用することができ、集合通路盤６０の本体部品６０Ａの設計変更で他機種用の集合通路盤（入賞球集合通路部品）を構築できる。また、取付台２３０，主制御装置２６１を集合通路盤６０の裏面側に支持できるので、集合通路盤６０の上側のスペースを大きくとることができる。
【０１７８】
また、取付台２３０は、その前面側の所定領域に形成された第１平坦部２３２を備え、集合通路盤６０は、その裏面側に形成された、取付台２３０の第１平坦部２３２の所定領域部分（上半分を上回る領域部分）が当接する第２平坦部７７を備え、取付台用支持部１３０は、取付台２３０の第１平坦部２３２の所定領域部分（上半分を上回る領域部分）が集合通路盤６０の第２平坦部７７に当接した状態で支持している。したがって、集合通路盤６０の裏面側の第２平坦部７７には取付台２３０の第１平坦部２３２の所定領域部分（上半分を上回る領域部分）が当接するので、集合通路盤６０の裏面側と取付台２３０との隙間を小さくすることができ、かかる隙間への不正基板の不正装着を低減できる。また、取付台２３０（例えばスペーサ）の前面側の所定領域である第１平坦部２３２は、集合通路盤６０の裏面側の第２平坦部７７と同様に平坦形状となっているので、収容空間部６３のＬＥＤ基板８０の配線を引っ掛けてしまわないための形状及びクリアランスを考慮する必要がなく、取付台２３０（例えばスペーサ）の設計負担を低減することができる。
【０１７９】
また、固定部品１１０は、遊技盤３０の一端側（本実施例では右端側）と、その一端側とは反対側の他端側（本実施例では左端側）とにそれぞれ締結固定されている。取付台２３０は、その前面側に、集合通路盤６０の裏面側との隙間を埋めるためのスペーサ部を有するとともに、その裏面側に所定の制御を行う主制御装置２６１が装着されるベース部品である。さらに、この取付台２３０は、遊技盤３０の右端側の固定部品１１０の取付台用支持部１３０の支持軸Ｊ２を回動軸心として、第１平坦部２３２が集合通路盤６０の第２平坦部７７に当接した閉状態と、第１平坦部２３２が第２平坦部７７から離れた開状態とに回動変位可能に片開き支持されている。主制御装置２６１は、遊技盤３０の左端側の固定部品１１０の主制御装置用支持部１４０の支持軸Ｊ３を回動軸心として、その裏面側が、閉状態の取付台２３０の裏面側に当接した閉状態と、閉状態の取付台２３０の裏面側から離れた開状態とに回動変位可能に片開き支持されている。係止爪２３１は、閉状態の取付台２３０と、閉状態の主制御装置２６１とを係止する。したがって、取付台２３０の第１平坦部２３２の所定領域部分（上半分を上回る領域部分）が集合通路盤６０の裏面側の第２平坦部７７に当接する状態を維持でき、集合通路盤６０と取付台２３０との間への不正基板の介装を低減できる。また、集合通路盤６０の収容空間部６３に収容されたＬＥＤ基板８０の交換を行う場合には、係止爪２３１による閉状態の取付台２３０と閉状態の主制御装置２６１との係止を解除し、取付台２３０と主制御装置２６１とを開状態とした観音開き状態とすることで、集合通路盤６０の本体部品６０Ａにアクセス可能となり、集合通路盤６０の固定部品１１０のスライド支持部１１５による本体部品６０Ａの支持を解除することで、かかる本体部品６０Ａを取り外すことができるので、集合通路盤６０の収容空間部６３に収容されたＬＥＤ基板８０の交換に際してネジ１０９の取り付けや取り外しが不要であり、部品交換の作業性に優れる。
【０１８０】
この発明は、上記実施形態に限られることはなく、同様の効果を奏する別の構成としてもよく、例えば下記のように変形実施することができる。
【０１８１】
＜１＞上述した実施例では、取付台２３０の前面側の第１平坦部２３２が集合通路盤６０の裏面側の第２平坦部７７に当接するようにしているが、近接するようにしてもよい。ここで言う「近接」とは、第１平坦部２３２と第２平坦部７７との間に不正基板が介装不可な程度の間隔とすることを意味する。
【０１８２】
＜２＞上述した実施例では、集合通路盤６０の第２平坦部７７の下側に下段平坦部７８を設けているが、取付窪み部７８ａと配線２２２の引き回し箇所のみ、第２平坦部７７よりも低くなった形状（例えば溝形状）とし、下段平坦部７８も第２平坦部７７としてもよい。
【０１８３】
＜３＞上述した実施例では、支持部としてのスライド支持部１１５によって、遊技盤３０の裏面側で本体部品６０Ａを着脱可能に支持しているが、係止支持やピン支持など各種の支持機構を採用してもよい。
【０１８４】
＜４＞上述した実施例では、締結部品としてネジ１０９で固定部品１１０が遊技盤３０の裏面に固定された例を挙げて説明しているが、ネジ以外のビス、リベットなど各種の締結部品で固定部品１１０を遊技盤３０の裏面に固定するようにしてもよい。
【０１８５】
＜５＞上述した実施例では、配設部品として取付台２３０や主制御装置２６１を例に挙げて説明しているが、サブ制御装置２６２などの他の制御装置やその取付台などを採用してもよい。
【０１８６】
＜６＞上述した実施例では、下向き開口穴部６２は図１５に示すように下向きに開口した形状としているが、例えばその側面箇所が開かれた形状としてもよく、下側が開放された種々の形状を含む。
【０１８７】
＜７＞上述した実施例では、照明手段としてＬＥＤ基板８０を例に挙げて説明しているが、ランプや面状発光部品など各種照明部品や照明装置を採用してもよい。
【０１８８】
＜８＞上述した実施例では、木製（例えば、合板）の不透明な遊技盤３０を採用しているが、透明樹脂製の透明遊技盤を採用してもよい。また、一部が少なくとも透明な遊技盤を採用し、その遊技盤の裏面側で透明部分を含む箇所に集合通路盤６０の本体部品６０Ａを取り付けるようにしてもよい。てもよい。例えば、透明遊技盤の下側領域部分には、集合通路盤６０が設けられ、遊技領域３０ａのうちでセンターフレーム４７の周囲箇所には透明遊技盤の背後にセルシート（装飾シート）が設けられているため、透明遊技盤の背後の上述の第１制御基板ユニット２０１や第２制御基板ユニット２０２などが透明遊技盤３０の正面視で透けて見えるようなことがない。また、第３図柄表示装置４２として、遊技領域３０ａのうちで図２で破線で示す集合通路盤６０以外の領域をカバーする、より大型な液晶表示装置を採用するようにしてもよい。
【０１８９】
また、このような透明遊技盤の場合において、集合通路盤６０の収容空間部６３の奥側に照明手段（例えばＬＥＤ基板８０）に備えることに加えて、この照明手段の前方箇所で収容空間部６３内に装飾部品を配設するようにしてもよい。この装飾部品としては、例えば、裏面からの入射光を拡散して前面から出射する図示省略の導光部材（例えば前後方向に可動する可動式のものや、非可動なものとしてもよい）や、キャラクタを象った図示省略の立体的役物（例えば前後方向に可動する可動式のものや、非可動なものであって導光性の有無は問わない）などが挙げられる。
【０１９０】
＜９＞上述した実施例では、一般入賞口３１に入賞した遊技球を集めるように案内する集合通路７１を例に挙げて説明しているが、第１の始動口３３ａや第２の始動口３３ｂに入賞した遊技球を集めるように案内する集合通路を採用してもよい。
【０１９１】
＜１０＞上述した実施例では、中継基板部品９０は、主制御装置２６１の主制御基板２６１ａ（図４参照）と可変入賞装置３２のカウントスイッチ２２３との電気的接続を中継する大入賞口中継端子基板９１を有するものとしているが、主制御基板２６１ａと始動入賞装置３３の作動口スイッチ２２４との電気的接続を中継する盤面接続基板を有する中継基板部品としてもよいし、主制御基板２６１ａと一般入賞口３１の入賞口スイッチ２２１との電気的接続を中継する中継基板部品としてもよい。
【０１９２】
また、中継基板部品としては、入賞口スイッチ２２１とカウントスイッチ２２３と作動口スイッチ２２４との少なくとも一つと、払出制御基板３１１ａなどの制御基板との電気的接続を中継する中継基板部品としてもよい。さらに、中継基板部品としては、主制御基板２６１ａと払出制御基板３１１ａとサブ制御基板２６２ａなどの制御基板同士の電気的接続を中継する中継基板部品としてもよい。
【０１９３】
＜１１＞本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特定遊技状態となるパチンコ機として実施してもよい。また、球が所定の入賞口に入ることで特定遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１９４】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０１９５】
なお、本明細書は、次のような遊技機に係る発明も開示している。
【０１９６】
（１）  遊技球が打ち込まれる遊技領域が前面側に形成された遊技部品と、
前記遊技部品の裏面に配設されて前記遊技部品の裏面側に案内された遊技球を排出する球排出部品と
を備えた遊技機において、
前記遊技部品は、
前記遊技領域の所定箇所に前後方向に貫通形成された貫通孔と、
前記遊技領域の前記貫通孔箇所に設けられた、遊技球が入球可能な入賞部品とを備え、
前記球排出部品は、
前記入賞部品に入賞した遊技球を案内する通路部と、
当該通路部の下流側に形成された、前記通路部で案内された遊技球を排出する排出口とを備え、
前記排出口は、前記遊技部品の裏面に対して間隔を空けて位置しており、
前記球排出部品は、その下部側で且つ前記排出口と前記遊技部品との間に、下側が開放された空間部を備えている
ことを特徴とするものである。
【０１９７】
前記（１）に記載の発明によれば、遊技部品の前面側の遊技領域に打ち込まれた遊技球は、当該遊技領域の入賞部品に入賞することがある。その入賞球は、遊技部品の裏面に案内され、遊技部品の裏面に配設された球排出部品の通路部により、当該通路部の下流側の排出口から排出される。排出口は、遊技部品の裏面に対して間隔を空けて位置している。また、球排出部品は、その下部側で且つ排出口と遊技部品との間に、下側が開放された空間部を備えている。
【０１９８】
したがって、例えば不正行為者が薄板状の不正具を遊技機の前面側から不正に進入させ、その不正具を手探りで遊技部品に沿わせるように当該遊技部品の裏面側まで進ませたとしても、排出口は、遊技部品の裏面に対して間隔を空けて位置しているので、遊技部品裏面の球排出部品の排出口への進入し難くできる。さらに、球排出部品は、その下部側で且つ排出口と遊技部品との間に、下側が開放された空間部を備えているので、不正行為者によって手探りで不正進入させてきた不正具の先端が空間部に捕らえられ、排出口への進入を低減させることができる。よって、球排出部品の通路部内で遊技球を意図的に詰まらせることが低減でき、不正に入賞カウント（入賞検出）を上げる不正行為も低減できる。その結果、球排出部品（入賞球集合通路部品）の排出口への不正具の進入を低減できる遊技機を提供することができる。
【０１９９】
（２）  前記（１）に記載の遊技機において、
前記通路部は、その通路途中箇所に、前記入賞部品に入賞した遊技球の入賞検出する入賞検出手段を備え、
さらに、前記通路部は、前記入賞検出手段よりも下流側の所定範囲箇所が、当該通路部での前記入賞検出手段が存する箇所の第１通路径よりも大きい第２通路径である拡大通路部であり、
前記排出口は、前記拡大通路部の下流側に形成されており、少なくとも前記第１通路径よりも大きい開口径である
ことを特徴とする遊技機。
【０２００】
前記（２）に記載の発明によれば、通路部の通路途中箇所に備えられた入賞検出手段は、入賞部品に入賞した遊技球の入賞検出する。通路部での入賞検出手段よりも下流側の所定範囲箇所である拡大通路部は、当該通路部での入賞検出手段が存する箇所の第１通路径よりも大きい第２通路径である。そして、排出口は、拡大通路部の下流側に形成されたものであり、少なくとも第１通路径よりも大きい開口径である。したがって、通路部での入賞検出手段よりも下流側の所定範囲箇所が拡大通路部となっているので、仮に不正具を排出口から進入させることができたとしても、拡大通路部が大きくなっており、通路部での入賞検出手段の存する通路部分を見つけることを困難とすることができる。また、排出口が大きくなっているので、通路部の経路変更や入賞検出手段の位置変更などがあっても、その排出口位置を変更することなく対応することができ、球排出部品の通路に関する設計変更負担を低減できる。
【０２０１】
（３）  前記（２）に記載の遊技機において、
前記通路部での前記入賞検出手段の存する通路部分は、前記拡大通路部の上側箇所でその幅方向両端部以外の箇所に連通している
ことを特徴とする遊技機。
【０２０２】
前記（３）に記載の発明によれば、通路部での入賞検出手段の存する通路部分は、拡大通路部の上側箇所でその幅方向両端部以外の箇所に連通しているので、仮に不正具を排出口から進入させて拡大通路部の幅方向両端の内側壁に沿わせて進ませたとしても、拡大通路部の上側箇所でその幅方向両端部には、入賞検出手段の存する通路部分が存在せず行き止まりであるので、通路部での入賞検出手段の存する通路部分を見つけることをさらに困難とすることができ、当該通路部分に不正具を進めることが困難である。
【０２０３】
（４）  前記（３）に記載の遊技機において、
前記拡大通路部の上側箇所で且つ前記両端部には、上方向に延出した上部延出空間部を備えている
ことを特徴とする遊技機。
【０２０４】
前記（４）に記載の発明によれば、拡大通路部の上側箇所でその幅方向両端部には、上方向に延出した上部延出空間部を備えているので、仮に不正具を排出口から進入させて拡大通路部の幅方向両端の内側壁に沿わせて進ませたとしても、拡大通路部の上側箇所でその幅方向両端部の上部延出空間部に入り込んで行き詰ってしまい、通路部での入賞検出手段の存する通路部分を見つけることをさらに困難とすることができ、当該通路部分に不正具を進めることが困難である。
【０２０５】
（５）  前記（１）から（４）のいずれか一つに記載の遊技機において、
前記排出口は、下向き開口であり、
前記球排出部品は、前記排出口の各辺のうちで前記遊技部品から遠い方の辺部分を上方向に切り欠いた切り欠き部を備えている
ことを特徴とする遊技機。
【０２０６】
前記（５）に記載の発明によれば、排出口は、下向き開口としている。球排出部品は、排出口の各辺のうちで遊技部品から遠い方の辺部分を上方向に切り欠いた切り欠き部を備えている。したがって、仮に薄板状の不正具を遊技部品に沿わせるように手探りで当該遊技部品の裏面側まで進ませ、排出口と遊技部品裏面との間の空間部を越えた位置にまで不正具が到達したとしても、排出口の各辺のうちで遊技部品から遠い方の辺部分が切り欠かれているため、不正具の先端が排出口を越えた位置に素通りして排出口の手応えが得られず、排出口の存在を不正行為者に気付かせ難くでき、排出口への進入を低減させることができる。よって、球排出部品の通路部内で遊技球を意図的に詰まらせることが低減でき、不正に入賞カウント（入賞検出）を上げる不正行為も低減できる。
【０２０７】
なお、本明細書中で言う「切り欠き部」とは、実際に球排出部品の排出口の遊技部品から遠い方の辺部分を上方向に切り取って形成したものであってもよいが、球排出部品の形成とともに当該球排出部品の該当箇所に上方向にへこみ部ができるという意味である。例えば、球排出部品を製造するための金型は予め切り欠き部を形成するための形状を有しており、この金型に樹脂を充填して、金型を取り外すと球排出部品の完成とともに切り欠き部（へこみ部）も形成されていることを意味する。
【０２０８】
（６）  前記（１）から（５）のいずれか一つに記載の遊技機において、
前記球排出部品は、
光を照射する照明手段と、
前記遊技部品の対向面側に形成された、前記遊技部品の裏面側に向けて光を照射するように前記照明手段を収容する収容部と
を備え、
前記球排出部品の前記通路部は、
前記球排出部品の前記遊技部品側を正面視した状態で奥方向に、前記入賞部品からの遊技球を案内する奥方向通路部と、
前記奥方向通路部からの遊技球を下方向に案内する、前記収容部よりも奥側に設けられた下方向通路部と
を備えている
ことを特徴とする遊技機。
【０２０９】
前記（６）に記載の発明によれば、球排出部品での遊技部品の対向面側に形成された収容部には、遊技部品の裏面側に向けて光を照射するように照明手段が収容されており、この収容部の奥側に下方向通路部が位置しているので、照明手段と遊技部品との間に球排出部品の下方向通路部が存在しないので、照明手段からの光が下方向通路部で減衰することによる輝度不足や、照明手段からの光が下方向通路部で意図しない光り方となる問題を解消できる。
【０２１０】
また、本明細書は、次のような第１課題を解決できる、遊技機に係る発明も開示している。
【０２１１】
＜第１課題＞
従来、遊技機の代表例として例えばパチンコ機がある。このパチンコ機としては、例えば、遊技球が打ち込まれる遊技領域を前面側に有する遊技盤と、この遊技盤の略中央箇所に形成された開口部に表示画面が位置するように当該遊技盤の背後に設けられた、識別情報を変動表示する液晶表示装置とを備え、遊技盤の開口部を通じて液晶表示装置の変動表示が視認可能なものがある。遊技盤の遊技領域の前面下部側の所定箇所には、一般入賞口、始動入賞口および大入賞口がそれぞれ配設されている。また、遊技盤の裏面下部箇所には、前記の一般入賞口、始動入賞口および大入賞口に入球した遊技球を複数個の球通路部を経由して収集し外部へ導出する入賞球集合通路部品が取り付けられている。この入賞球集合通路部品は、その球通路部に、遊技球の入賞を検出する入賞検出センサを備えている。パチンコ機では、入賞検出センサで入賞が検出されると、遊技者に対して所定数の賞球払出がなされる。また、この入賞検出センサの配線は、入賞球集合通路部品の裏面側に配設された中継基板を介して制御基板に接続されている（例えば、特許文献：特開平１１−２９０５２６号公報（第４−５頁，第３−６図））。
【０２１２】
しかしながら、このような構成を有する従来例の場合には、次のような問題がある。
すなわち、従来のパチンコ機では、例えば、入賞球集合通路部品の裏面側に制御基板ベースが配設されており、入賞球集合通路部品の裏面側と制御基板ベースとの隙間に不正基板等が不正に装着されることを防止するために当該隙間にスペーサを設けることでかかる隙間を小さくしている。しかし、入賞球集合通路部品の球通路部は曲折した複雑な通路形状であり、当該入賞球集合通路部品の裏面側はその球通路部によって凹凸形状となっているし、入賞球集合通路部品の裏面側において入賞検出センサや照明部品やそれらの配線などがむき出しとなっているため、かかるスペーサは、入賞球集合通路部品の裏面側の照明部品に当てることがなく且つ前記配線を引っ掛けてしまわないような形状やクリアランスに設定する必要がある。よって、スペーサの設計に多大な時間がかかり、負担となっているという問題がある。
【０２１３】
以下の発明は、このような事情等に鑑みてなされたものであって、入賞球集合通路部品の裏面側のスペーサの設計負担を低減できる遊技機を提供することを目的とする。
【０２１４】
（７）  遊技球が打ち込まれる遊技領域が前面側に形成された遊技部品と、
前記遊技部品の裏面に配設されて前記遊技部品の裏面側に案内された遊技球を排出する球排出部品と、
前記球排出部品の裏面側（遊技機における背面側または遊技部品から遠い方の側）に配設される配設部品と、
を備えた遊技機において、
前記配設部品は、その前面側（遊技機における背面を向く側または遊技部品に近い方の側）の所定領域に略平面状に形成された第１平坦部を備え、
前記球排出部品は、
その前面側に形成された、前記遊技部品を裏面側から照らす照明部品を収容する部品収容部と、
その裏面側に形成された、前記配設部品の前記第１平坦部の所定領域部分が当接または近接する第２平坦部と
を備えている
ことを特徴とする遊技機。
【０２１５】
前記（７）に記載の発明によれば、遊技部品の前面側の遊技領域に打ち込まれた遊技球は、当該遊技領域の入賞部品に入賞することがある。その入賞球は、遊技部品の裏面に案内され、遊技部品の裏面に配設された球排出部品により外部に排出される。配設部品は、球排出部品の裏面側（遊技機における背面側または遊技部品から遠い方の側）に配設され、その前面側（遊技機における背面を向く側または遊技部品に近い方の側）の所定領域に略平面状の第１平坦部が形成されている。球排出部品の前面側の部品収容部は、遊技部品を裏面側から照らす照明部品を収容するので、照明部品が球排出部品の裏面側にむき出しになることを解消できる。また、球排出部品の裏面側の第２平坦部には配設部品の第１平坦部の所定領域部分が当接または近接するので、球排出部品の裏面側と配設部品との隙間を小さくすることができ、かかる隙間への不正基板の不正装着を低減できる。また、配設部品（例えばスペーサ）の前面側の所定領域である第１平坦部は、球排出部品の裏面側の第２平坦部と同様に平坦形状となっているので、照明部品の配線を引っ掛けてしまわないための形状及びクリアランスを考慮する必要がなく、配設部品（例えばスペーサ）の設計負担を低減することができる。
【０２１６】
なお、本明細書中で言う「部品収容部」は、照明部品を収容するとともに球通路を収容する部品としてもよい。また、本明細書中で言う「第１平坦部」及び「第２平坦部」は、平面形状であってもよいし、緩やかなスロープ形状、小さな凹凸面形状、平面部分に深さの異なる溝が複数個形成された形状などとしてもよい。「第１平坦部」は、球排出部品の前側に部品収容部をその後側に球通路を備えた当該球排出部品の背面箇所に設けられているが、その前後関係を逆にした当該球排出部品の背面箇所に設けられるようにしてもよい。
【０２１７】
（８）  前記（７）に記載の遊技機において、
前記遊技部品は、
前記遊技領域の所定箇所に前後方向に貫通形成された貫通孔と、
前記遊技領域の前記貫通孔箇所に設けられた、遊技球が入球可能な入賞部品とを備え、
前記球排出部品は、その裏面側で前記第２平坦部以外の所定領域に、当該第２平坦部よりも一段低くなった下段平坦部が形成されており、
前記下段平坦部は、前記入賞部品への遊技球の入賞を検出する入賞検出手段が取り付けられる取付窪み部と、前記入賞検出手段の配線を止める止め部とを備えるとともに、前記第２平坦部との段差は前記配線の直径よりも大きい
ことを特徴とする遊技機。
【０２１８】
前記（８）に記載の発明によれば、遊技部品の遊技領域の貫通孔箇所に設けられた入賞部品に遊技球が入賞することがある。球排出部品は、その裏面側で第２平坦部以外の所定領域に、当該第２平坦部よりも一段低くなった下段平坦部が形成されている。入賞部品への遊技球の入賞を検出する入賞検出手段は、下段平坦部の取付窪み部に取り付けられ、その入賞検出手段の配線は、下段平坦部の止め部で止められるので、配線の敷設ルートを固定化できる。また、下段平坦部の段差は、配線の直径よりも大きいので、球排出部品の裏面側の第２平坦部に配設部品の第１平坦部の所定領域部分が当接または近接した状態において、入賞検出手段の配線が配設部品によって球排出部品に抑圧されることを防止でき、かかる抑圧に起因する配線の切断や損傷を防止できる。
【０２１９】
なお、「第２平坦部との段差」は、配線の直径よりも大きく配線の直径の２倍以下の範囲の段差とすることが好ましい。
【０２２０】
（９）  前記（７）または（８）に記載の遊技機において、
前記配設部品は、その前面側に、前記球排出部品の裏面側との隙間を埋めるためのスペーサ部を有するとともに、その裏面側に所定の制御を行う制御手段が装着されるベース部品であり、
前記制御手段は、その裏面側の所定箇所に、ケーブルが接続されるコネクタ部を備え、
前記配設部品の前記第１平坦部の所定領域部分が前記球排出部品の裏面側の前記第２平坦部に当接または近接するように当該配設部品が前記球排出部品の裏面側に配設された状態において、前記制御手段の裏面視で前記コネクタ部の存する箇所に前記第２平坦部及び前記第１平坦部が位置している
ことを特徴とする遊技機。
【０２２１】
前記（９）に記載の発明によれば、配設部品は、その前面側に、球排出部品の裏面側との隙間を埋めるためのスペーサ部を有するとともに、その裏面側に所定の制御を行う制御手段が装着されるベース部品である。制御手段は、その裏面側の所定箇所に、ケーブルが接続されるコネクタ部を備えている。配設部品の第１平坦部の所定領域部分が球排出部品の裏面側の第２平坦部に当接または近接するように当該配設部品が球排出部品の裏面側に配設された状態において、制御手段の裏面視でコネクタ部の存する箇所に第２平坦部及び第１平坦部が位置しているので、制御手段のコネクタ部にケーブルを接続する場合に、このコネクタ部が押されたとしても、配設部品の第１平坦部の球排出部品の第２平坦部への当接により、配設部品の撓みを低減することができる。
【０２２２】
（１０）  前記（９）に記載の遊技機において、
前記配設部品は、前記遊技部品の一端側を回動軸心として、前記第１平坦部が前記球排出部品の前記第２平坦部に当接または近接した閉状態と、前記第１平坦部が前記第２平坦部から離れた開状態とに回動変位可能に片開き支持され、
前記制御手段は、前記遊技部品の前記一端側とは反対の他端側を軸心として、その裏面側が、前記閉状態の前記配設部品の裏面側に当接または近接した閉状態と、前記閉状態の前記配設部品の裏面側から離れた開状態とに回動変位可能に片開き支持され、
前記閉状態の前記配設部品と、前記閉状態の前記制御手段とを係止する係止手段を備えている
ことを特徴とする遊技機。
【０２２３】
前記（１０）に記載の発明によれば、配設部品は、遊技部品の一端側を回動軸心として、第１平坦部が球排出部品の第２平坦部に当接または近接した閉状態と、第１平坦部が第２平坦部から離れた開状態とに回動変位可能に片開き支持されている。また、制御手段は、遊技部品の一端側とは反対の他端側を軸心として、その裏面側が、閉状態の配設部品の裏面側に当接または近接した閉状態と、閉状態の配設部品の裏面側から離れた開状態とに回動変位可能に片開き支持されている。係止手段は、閉状態の配設部品と、閉状態の制御手段とを係止するので、配設部品の第１平坦部の所定領域部分が球排出部品の裏面側の第２平坦部に当接または近接する状態を維持でき、球排出部品と配設部品との間への不正基板の介装を低減できる。
【０２２４】
なお、「係止手段」としては、制御手段の軸心から遠い方の端部箇所で係止することが好ましい。テコの原理で小さな係止力で制御手段を強力に閉じることができる。
【０２２５】
（１１）  前記（１０）に記載の遊技機において、
前記閉状態の前記配設部品と前記閉状態の前記制御手段とを前記係止手段によって係止した状態では、前記配設部品の前記第１平坦部が前記球排出部品の前記第２平坦部に当接している
ことを特徴とする遊技機。
【０２２６】
前記（１１）に記載の発明によれば、閉状態の配設部品と閉状態の制御手段とを係止手段によって係止した状態では、配設部品の第１平坦部が球排出部品の第２平坦部に当接しているので、球排出部品と配設部品との間の隙間を無くすことができ、球排出部品と配設部品との間への不正基板の介装を防止できる。
【０２２７】
また、本明細書は、次のような第２課題を解決できる、遊技機に係る発明も開示している。
【０２２８】
＜第２課題＞
従来、遊技機の代表例として例えばパチンコ機がある。このパチンコ機としては、例えば、遊技球が打ち込まれる遊技領域を前面側に有する遊技盤と、この遊技盤の略中央箇所に形成された開口部に表示画面が位置するように当該遊技盤の背後に設けられた、識別情報を変動表示する液晶表示装置とを備え、遊技盤の開口部を通じて液晶表示装置の変動表示が視認可能なものがある。遊技盤の遊技領域の前面下部側の所定箇所には、一般入賞口、始動入賞口および大入賞口がそれぞれ配設されている。また、遊技盤の裏面下部箇所には、前記の一般入賞口、始動入賞口および大入賞口に入球した遊技球を複数個の球通路部を経由して収集し外部へ導出する入賞球集合通路部品が取り付けられている。この入賞球集合通路部品は、その球通路部に、遊技球の入賞を検出する入賞検出センサを備えている。パチンコ機では、入賞検出センサで入賞が検出されると、遊技者に対して所定数の賞球払出がなされる（例えば、特許文献：特開平１１−２９０５２６号公報（第３−４頁，第３−４図））。
【０２２９】
しかしながら、このような構成を有する従来例の場合には、次のような問題がある。
すなわち、従来のパチンコ機では、例えば入賞球集合通路部品の前面側に開口した収納部にＬＥＤ基板やスイッチなどの配設部品を収納している構成下で、かかるＬＥＤ基板の故障が発生した場合には、入賞球集合通路部品を遊技盤に固定しているビス（ネジ）を全て取り外し、入賞球集合通路部品のＬＥＤ基板を交換し、入賞球集合通路部品を遊技盤にビス（ネジ）で固定する必要があり、交換を容易に行うことができないという問題がある。
【０２３０】
以下の発明は、このような事情等に鑑みてなされたものであって、遊技盤と入賞球集合通路部品との間に配設された部品を迅速に交換することができる遊技機を提供することを目的とする。
【０２３１】
（１２）  遊技球が打ち込まれる遊技領域が前面側に形成された遊技部品と、
前記遊技部品の裏面に配設されて前記遊技部品の裏面側に案内された遊技球を排出する球排出部品と
を備えた遊技機において、
前記球排出部品は、
前記遊技部品の裏面側と対向する側に開口した部品収容部を有するとともに前記部品収容部に部品が収容される本体部と、
前記遊技部品の裏面側で前記本体部を着脱可能に支持する支持部を有するとともに、前記遊技部品の裏面側に前記支持部とは別部位において固定された固定部と、
を備えている
ことを特徴とする遊技機。
【０２３２】
前記（１２）に記載の発明によれば、遊技部品の前面側に形成された遊技領域には、遊技球が打ち込まれる。球排出部品は、遊技部品の裏面に配設されており、遊技部品の裏面側に案内された遊技球を排出する。球排出部品は、本体部と固定部とを備えている。本体部は、遊技部品の裏面側と対向する側に開口した部品収容部を備えている。この部品収容部には、部品が収容される。固定部は、遊技部品の裏面側に締結部品に前記支持部とは別部位において固定されている。固定部の支持部は、遊技部品の裏面側で本体部を着脱可能に支持する。したがって、球排出部品の前面側に開口した部品収容部に部品（例えばＬＥＤ基板やスイッチなどの部品）を収納している構成下において、かかる部品（例えばＬＥＤ基板）の故障が発生した場合には、締結部品（ビスやネジなど）を取り外すことなく球排出部品の本体部を固定部の支持部から取り外すことができ、本体部の部品（ＬＥＤ基板）を交換し、本体部を遊技部品の支持部に取り付けることができ、部品交換の作業性に優れる。また、球排出部品の本体部を遊技部品の裏面に止めるための締結部品（ビスやネジなど）を削減できる。その結果、遊技盤と球排出部品（入賞球集合通路部品）との間に配設された部品を迅速に交換することができる遊技機を提供することができる。
【０２３３】
（１３）  前記（１２）に記載の遊技機において、
前記固定部は、前記遊技部品の裏面側での前記本体部の両側近傍箇所にそれぞれ固定され、
前記固定部の前記支持部は、前記本体部の支持状態において、前記本体部の取り外し方向への移動を規制するように当該本体部と係止する、前記本体部の両側境界部分に設けられた縦長の係止部を備えている
ことを特徴とする遊技機。
【０２３４】
前記（１３）に記載の発明によれば、固定部は、遊技部品の裏面側での本体部の両側近傍箇所にそれぞれ固定される。固定部の支持部に備えられた縦長の係止部は、本体部の両側境界部分に設けられ、本体部の支持状態において、本体部の取り外し方向への移動を規制するように当該本体部と係止するので、球排出部品の本体部を、球排出部品の固定部の支持部による支持状態において、外れないように保持することができる。また、球排出部品の部品収容部の部品交換の際には、係止部による係止を解除して本体部を固定部から取り外し、本体部の部品収容部の部品を交換し、この本体部を固定部の支持部で支持されるように取り付けると係止部で係止されるので、本体部の着脱に際して締結部品（ビスやネジなど）の取り付けや取り外しが不要であり、本体部を迅速に交換できる。また、縦長の係止部を本体部の両側境界部分に設けているので、横長の係止爪を採用する場合に比べて、球排出部品を横幅方向に大きいものを採用することができる。
【０２３５】
（１４）  前記（１２）または（１３）に記載の遊技機において、
さらに、前記球排出部品の裏面側に配設される配設部品を備え、
前記固定部は、前記配設部品を前記球排出部品の裏面側に位置させた状態に支持する、前記支持部とは別の配設部品用支持部を備えている
ことを特徴とする遊技機。
【０２３６】
前記（１４）に記載の発明によれば、配設部品は、球排出部品の裏面側に配設される。配設部品用支持部は、配設部品を球排出部品の裏面側に位置させた状態に支持する。したがって、固定部の配設部品用支持部が破損等した場合には、固定部を交換するだけでよく、球排出部品の本体部はそのまま使用することができる。また、固定部は他機種の遊技機にも流用することができ、球排出部品の本体部の設計変更で他機種用の球排出部品を構築できる。また、配設部品を球排出部品の裏面側に支持できるので、球排出部品の上側のスペースを大きくとることができる。
【０２３７】
（１５）  前記（１４）に記載の遊技機において、
前記配設部品は、その前面側の所定領域に形成された第１平坦部を備え、
前記球排出部品は、その裏面側に形成された、前記配設部品の前記第１平坦部の所定領域部分が当接または近接する第２平坦部を備え、
前記配設部品用支持部は、前記配設部品の前記第１平坦部の所定領域部分が前記球排出部品の第２平坦部に当接または近接した状態で支持している
ことを特徴とする遊技機。
【０２３８】
前記（１５）に記載の発明によれば、球排出部品の裏面側の第２平坦部には配設部品の第１平坦部の所定領域部分が当接または近接するので、球排出部品の裏面側と配設部品との隙間を小さくすることができ、かかる隙間への不正基板の不正装着を低減できる。また、配設部品（例えばスペーサ）の前面側の所定領域である第１平坦部は、球排出部品の裏面側の第２平坦部と同様に平坦形状となっているので、部品収容部の部品の配線を引っ掛けてしまわないための形状及びクリアランスを考慮する必要がなく、配設部品（例えばスペーサ）の設計負担を低減することができる。
【０２３９】
（１６）  前記（１５）に記載の遊技機において、
前記固定部は、前記遊技部品の一端側と、その一端側とは反対側の他端側とにそれぞれ締結固定され、
前記配設部品は、その前面側に、前記球排出部品の裏面側との隙間を埋めるためのスペーサ部を有するとともに、その裏面側に所定の制御を行う制御手段が装着されるベース部品であり、
さらに、前記配設部品は、前記遊技部品の一端側の前記固定部の前記配設部品用支持部の支持軸を回動軸心として、前記第１平坦部が前記球排出部品の前記第２平坦部に当接または近接した閉状態と、前記第１平坦部が前記第２平坦部から離れた開状態とに回動変位可能に片開き支持され、
前記制御手段は、前記遊技部品の前記他端側の前記固定部の前記配設部品用支持部の支持軸を回動軸心として、その裏面側が、前記閉状態の前記配設部品の裏面側に当接または近接した閉状態と、前記閉状態の前記配設部品の裏面側から離れた開状態とに回動変位可能に片開き支持され、
前記閉状態の前記配設部品と、前記閉状態の前記制御手段とを係止する係止手段を備えている
ことを特徴とする遊技機。
【０２４０】
前記（１６）に記載の発明によれば、固定部は、遊技部品の一端側と、その一端側とは反対側の他端側とにそれぞれ締結固定されている。配設部品は、その前面側に、球排出部品の裏面側との隙間を埋めるためのスペーサ部を有するとともに、その裏面側に所定の制御を行う制御手段が装着されるベース部品である。さらに、この配設部品は、遊技部品の一端側の固定部の配設部品用支持部の支持軸を回動軸心として、第１平坦部が球排出部品の第２平坦部に当接または近接した閉状態と、第１平坦部が第２平坦部から離れた開状態とに回動変位可能に片開き支持されている。制御手段は、遊技部品の他端側の固定部の配設部品用支持部の支持軸を回動軸心として、その裏面側が、閉状態の配設部品の裏面側に当接または近接した閉状態と、閉状態の配設部品の裏面側から離れた開状態とに回動変位可能に片開き支持されている。係止手段は、閉状態の配設部品と、閉状態の制御手段とを係止する。したがって、配設部品の第１平坦部の所定領域部分が球排出部品の裏面側の第２平坦部に当接または近接する状態を維持でき、球排出部品と配設部品との間への不正基板の介装を低減できる。また、球排出部品の部品収容部に収容された部品の交換を行う場合には、係止手段による閉状態の配設部品と閉状態の制御手段との係止を解除し、配設部品と制御手段とを開状態とした観音開き状態とすることで、球排出部品の本体部にアクセス可能となり、球排出部品の固定部の支持部による本体部の支持を解除することで、かかる本体部を取り外すことができるので、球排出部品の部品収容部に収容された部品交換に際して締結部品の取り付けや取り外しが不要であり、部品交換の作業性に優れる。
【０２４１】
（１７）  前記（１）から（１６）のいずれか一つに記載の遊技機において、
前記遊技機はパチンコ機であることを特徴とする遊技機。
【０２４２】
前記（１７）に記載の遊技機によれば、球排出部品（入賞球集合通路部品）の排出口への不正具の進入を低減できるパチンコ機を提供でき（前記（１）から（６）に従属する場合）、球排出部品（入賞球集合通路部品）の裏面側の配設部品（例えばスペーサ）の設計負担を低減できるパチンコ機を提供でき（前記（７）から（１１）に従属する場合）、遊技盤と球排出部品（入賞球集合通路部品）との間に配設された部品を迅速に交換することができるパチンコ機を提供でき（前記（１２）から（１６）に従属する場合）。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特定遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０２４３】
なお、本明細書に開示する種々の発明に関して、全ての構成要素について種々の組み合わせが可能であり、他の構成要件がなくても単独で発明として成立する点に留意されたい。
【産業上の利用可能性】
【０２４４】
以上のように、この発明は、パチンコ機等の遊技機に適している。
【符号の説明】
【０２４５】
３０  …遊技盤（遊技部品）
３０ａ…遊技領域
３１  …一般入賞口（入賞部品）
５６  …一般入賞口用貫通孔（貫通孔）
６０  …集合通路盤（球排出部品）
６０Ａ…本体部品（本体部材）
６１  …排出口
６２  …下向き開口穴部（空間部）
６３  …収容空間部（収容部、部品収容部）
７１  …集合通路（通路部）
７２  …奥方向案内通路部（奥方向通路部）
７３  …下方向案内通路部（下方向通路部）
７４  …幅広通路部（拡大通路部）
７５  …上部延出窪み部（上部延出空間部）
７６  …切り欠き面部（切り欠き部）
７７  …第２平坦部
７８  …下段平坦部
７８ａ…取付窪み部
７８ｂ…止め部
８０  …ＬＥＤ基板（照明手段、照明部品、部品）
１０９  …ネジ（締結部品）
１１０  …固定部品（固定部）
１１５  …スライド支持部（支持部）
１１７  …規制爪（係止部）
１３０  …取付台用支持部（配設部品用支持部）
１４０  …主制御装置用支持部（配設部品用支持部）
２２１  …入賞口スイッチ（入賞検出手段）
２２２  …配線
２３０  …取付台（配設部品）
２３１  …係止爪（係止手段）
２３２  …第１平坦部
２３３  …スペーサ部
２６１  …主制御装置（制御手段）
ＣＯＮ  …コネクタ部
【図１】
0005644918.tif 000002
【図２】
0005644918.tif 000003
【図３】
0005644918.tif 000004
【図４】
0005644918.tif 000005
【図５】
0005644918.tif 000006
【図６】
0005644918.tif 000007
【図７】
0005644918.tif 000008
【図８】
0005644918.tif 000009
【図９】
0005644918.tif 000010
【図１０】
0005644918.tif 000011
【図１１】
0005644918.tif 000012
【図１２】
0005644918.tif 000013
【図１３】
0005644918.tif 000014
【図１４】
0005644918.tif 000015
【図１５】
0005644918.tif 000016
【図１６】
0005644918.tif 000017
【図１７】
0005644918.tif 000018
【図１８】
0005644918.tif 000019
【図１９】
0005644918.tif 000020
【図２０】
0005644918.tif 000021
【図２１】
0005644918.tif 000022
【図２２】
0005644918.tif 000023
【図２３】
0005644918.tif 000024
【図２４】
0005644918.tif 000025
【図２５】
0005644918.tif 000026